【事件の表示】
　特許第３３６５８４９号「内視鏡用流体管路切換え装置」の請求項１に係る特許に対する特許異議の申立てについて、次のとおり決定する。
【結　論】
　訂正を認める。
　特許第３３６５８４９号の請求項１に係る特許を維持する。
【理　由】
１．手続の経緯
　本件特許第３３６５８４９号発明は、平成６年３月２４日に特許出願され、平成１４年１１月１日にその特許の設定登録がなされ、その後ペンタックス株式会社より特許異議の申立がなされ、取消理由通知がなされ、その指定期間内である平成１６年２月１７日に訂正請求がなされたものである。
　
２．訂正の適否についての判断
２．１　訂正事項
　特許権者が求めている訂正の内容は以下のとおりである。
(1）訂正事項ａ
　特許請求の範囲の請求項１の記載
「【請求項１】　内視鏡の操作部に取付けられた流体管路切換え用のシリンダに対して着脱可能に取付けられる取付け部材と、この取付け部材の内周面に段差部を形成するように突設され、前記シリンダ内に摺動自在に嵌挿される流体管路切換え用のピストンの前記シリンダの外方向への移動を規制する突出部と、前記取付け部材の段差部と前記ピストンとの間に介設され、前記ピストンを前記突出部に当接させる方向に付勢する付勢部材とを備えた内視鏡用流体管路切換え装置において、前記ピストンが前記突出部に当接された状態で、前記取付け部材と前記ピストンとの間の空間と、前記突出部と前記ピストンとの当接部の外側空間との間を連通する連通路を前記突出部に設けたことを特徴とする内視鏡用流体管路切換え装置。」を
「【請求項１】　内視鏡の操作部に取付けられた流体管路切換え用のシリンダに対して着脱可能に取付けられる取付け部材と、この取付け部材の内周面に段差部を形成するように突設され、前記シリンダ内に摺動自在に嵌挿される流体管路切換え用のピストンの前記シリンダの外方向への移動を規制する突出部と、前記取付け部材の段差部と前記ピストンとの間に介設され、前記ピストンを前記突出部に当接させる方向に付勢する付勢部材とを備えた内視鏡用流体管路切換え装置において、前記ピストンが前記突出部に当接された状態で、前記取付け部材と前記ピストンとの間の空間と、前記突出部と前記ピストンとの当接部の外側空間との間を連通する連通路を前記突出部の前記ピストンが当接する部分の一部に設けたことを特徴とする内視鏡用流体管路切換え装置。」
と訂正する。
(2）訂正事項ｂ
　特許明細書の段落【００１５】の記載を
「【課題を解決するための手段】
　本発明は内視鏡の操作部に取付けられた流体管路切換え用のシリンダに対して着脱可能に取付けられる取付け部材と、この取付け部材の内周面に段差部を形成するように突設され、前記シリンダ内に摺動自在に嵌挿される流体管路切換え用のピストンの前記シリンダの外方向への移動を規制する突出部と、前記取付け部材の段差部と前記ピストンとの間に介設され、前記ピストンを前記突出部に当接させる方向に付勢する付勢部材とを備えた内視鏡用流体管路切換え装置において、前記ピストンが前記突出部に当接された状態で、前記取付け部材と前記ピストンとの間の空間と、前記突出部と前記ピストンとの当接部の外側空間との間を連通する連通路を前記突出部の前記ピストンが当接する部分の一部に設けたものである。」
と訂正する。
(3）訂正事項ｃ
　特許明細書の段落【０１９７】の記載を
「【発明の効果】
　本発明によればピストンが突出部に当接された状態で、取付け部材とピストンとの間の空間と、突出部とピストンとの当接部の外側空間との間を連通する連通路を突出部の前記ピストンが当接する部分の一部に設けたので、洗浄作業の作業能率を高めることができ、洗浄作業時の作業者の負担を軽減することができる。」
と訂正する。
　
２．２　訂正の目的の適否、新規事項の有無、及び特許請求の範囲の拡張・変更の存否
(1）訂正事項ａについて
　訂正事項ａは、「連通路を前記突出部に設けた」の記載を「連通路を前記突出部の前記ピストンが当接する部分の一部に設けた」と訂正することによって、連通路を設けた位置を限定するものである。そして、この訂正は、特許明細書の段落【００５２】ないし【００６３】、【０１２３】の記載、および図２、３、４および２３等の記載に基づくものである。
　したがって、訂正事項ａは、特許請求の範囲の減縮を目的とするものであって、特許明細書の記載事項の範囲内の訂正であり、新規事項の追加に該当せず、実質上特許請求の範囲を拡張しまたは変更するものではない。
(2）訂正事項ｂないしｃについて、
　訂正事項ｂないしｃは、訂正事項ａによって訂正された特許請求の範囲の記載に整合するように、明細書の記載を訂正するものであるから、明りょうでない記載の釈明を目的とするものであって、特許明細書の記載事項の範囲内の訂正であり、新規事項の追加に該当せず、実質上特許請求の範囲を拡張しまたは変更するものではない。
　
２．３　むすび
　以上のとおりであるから、上記訂正は、特許法等の一部を改正する法律（平成６年法律第１１６号）附則第６条第１項の規定によりなお従前の例によるとされる、特許法第１２０条の４第３項において準用する平成６年法律第１１６号による改正前の特許法第１２６条第１項ただし書、第２項及び第３項の規定に適合するので、当該訂正を認める。
　
３．特許異議の申立についての判断
３．１　申立の理由の概要
　申立人ペンタックス株式会社は、本件請求項１に係る特許発明に対して、証拠として甲第１号証（特開昭５９−４９７３１）、甲第２号証（特開平５−３１７２４５号公報）、および甲第３号証（特公平５−８０８９５号公報）を提示し、本件特許は特許法第２９条第１項第３号あるいは同条第２項の規定に違反してなされたものであるから、特許法第１１３条第２号に該当し、取り消されるべきものである旨主張している。
　
３．２　本件発明
　前記訂正請求が認められたので、本件請求項１に係る発明（以下、「本件発明」という。）は、訂正明細書の特許請求の範囲の請求項１に記載された次の事項によって特定されるとおりのものである。
「【請求項１】　「訂正事項ａ」参照　」
　
３．３　甲号各証の記載事項
　申立人の提出した甲第１号証：特開昭５９−４９７３１、甲第２号証：特開平５−３１７２４５号公報、および甲第３号証：特公平５−８０８９５号公報には、をれぞれ以下の事項が記載されている。
(1）甲第１号証刊行物には
　吸引切換え弁および送気送水切換え弁を備えた内視鏡に関して記載されており、
(1a）「上記吸引切換え弁２１は第２図で示すように構成されている。すなわち、操作部３の外壁体３ａには取付け孔２３が穿設されており、この取付け孔２３に対して弁座体としてのシリンダ２４が嵌着されている。」（第3頁左上欄14〜18行）
(1b）「そして、シリンダ２４の外方側端部の外周には取付け環２６がねじ込み装着されていて、この取付け環２６と上記つば２５との間で上記外壁体３ａを挟み込むことにより上記シリンダ２４は外壁体３ａに取付け固定されている。」（第3頁右上欄2〜6行）
(1c）「上記取付け環２６はその外周面部に嵌着用の溝部３４が形成されており、この溝部３４を含めてその突出外端部を取付けフランジ３５としてある。この取付けフランジ３５には突当て部材３６を着脱自在に装着するようになっている。」（第3頁左下欄11〜15行）
(1d）「つまり、ゴム部材３７は突当て部材３６の外筒部３６ａに対してインサート成形により一体的に取着固定されている。」（第3頁右下欄1〜4行）
(1e）「また、突当て部材３６の内筒部３６ｂの外端にはその径方向内側に張り出す突当て部３９が一体に形成されている。そして、この突当て部３９には待機位置における前記ピストン３１の上端段部４１が当り、待機時の位置規制を行なうようになっている。」（第3頁右下欄7〜12行）
(1f）「内縁突部３７ａ」（第4頁左上欄2行）
(1g）「さらに、上記連結管４２の外端周縁と上記突当て部材３６の底壁部３６ｃとの間にはピストン３１の周囲に位置して付勢部材としてのコイルばね４５が介在している。そして、上記ピストン３１を外方へ向けて付勢し、ピストン３１の上端部４１が突当て部３９に当る位置に待機させている。」（第4頁左上欄4〜10行）
(1h）「また、突き当て部材３６の内筒部３６ｂの壁部には複数のリーク孔４６…が形成されていて、ピストン３１の待機時においてピストン３１の開孔３３に連通するようになっている。」（第4頁左上欄14〜17行）
(1i）「しかして、この吸引切換え弁２１は待機時においては第２図で示すようにシリンダ２４の開口部２９はピストン３１の周面によって閉塞されている。このため、吸引用管路１７はその途中が遮断され、処置具挿通用チャンネル１８側への吸引作用は働かない。しかし、ピストン３１の中空孔３２、開孔３３および突当て部材３６のリーク孔４６を通じて外部へ連通するため、外気を吸引している。」（第4頁右上欄5〜13行）
がそれぞれ図面と共に記載されており、
これらの記載から
「内視鏡の操作部３に取付けられた流体管路切換え用のシリンダ２４に対して着脱可能に取付けられるゴム部材３７と、このゴム部材３７の内周面に内縁突起３７ａを形成するように突設され、前記シリンダ２４内に摺動自在に嵌挿される流体管路切換え用のピストン３１の前記シリンダ２４の外方向への移動を規制する突当て部材３６と、前記ゴム部材３７の内縁突起３７ａと前記ピストン３１との間に介設され、前記ピストン３１を前記突き当て部材３６に当接させる方向に付勢するコイルばね４５とを備えた内視鏡用流体管路切換え装置において、前記ピストン３１が前記突当て部材３６に当接された状態で、前記ゴム部材３７と前記ピストン３１との間の空間と、前記突当て部材３６と前記ピストン３１との当接部の外側空間との間を連通するリーク孔４６を前記突当て部材３６に設けた内視鏡用流体管路切換え装置。」
が記載されているものと認められる。
　
(2）甲第２号証刊行物には、
　内視鏡の吸引操作装置に関して記載されており、
(2a）「さらに、内視鏡はその使用の都度洗浄されるが、特に吸引通路の部分は入念に洗浄しなければならない。この洗浄時には、連結リング４０を螺回することによって、この連結リング４０と、ボタン４１及びこのボタン４１に連結されている弁本体３１をバルブケーシング３０から分離して、負圧源側通路２ａ及び吸引口側通路２ｂの内部を洗浄すると共に、バルブ−ボタンユニットも同時に洗浄される。しかしながら、洗浄液がこのバルブ−ボタンユニットにおける復帰ばね４４を収容する空間Ｓ内に入り込むと、この洗浄液を完全に排出するのは極めて困難である。従って、この空間Ｓの内部を清潔な状態に保てなくなり、衛生上の見地から好ましくはない。【００１２】本発明はこのような従来技術における課題を解決するためになされたものであって、その目的とするところは、非作動状態においては、大気からの吸い込みを可能ならしめると共に、付勢手段が設けられる作動機構室の内部の洗浄性に優れた吸引操作装置を提供することにある。」（第３頁３欄４３行〜４欄１１行）、
(2b）「然るに、本発明においては、付勢手段としての復帰ばね４４が収容されている連結リング４０の内部とボタン４１のスカート部４１ａとの間の空間Ｓにはバイパス通路５０を開口させる構成としている。このバイパス通路５０は、連結リング４０に連設されているリングねじ４２に、弁本体３１の軸線方向と平行になるように穿設した複数の流通孔５１と、バルブケーシング３０の上端部をテーパ壁とすることにより形成される円環状のチャンバ５２とから構成される。チャンバ５２は、弁本体３１が非作動状態となっている際には、この弁本体３１の開口３５がチャンバ５２内に臨んで、空間Ｓから流通孔５１及びチャンバ５２からなるバイパス通路５０を経て、開口３５を介して弁本体３１の内部に形成した流路３４に連通する。また、空間Ｓは連結リング４０の内壁とボタン４１のスカート部４１ａの外面との間にできる僅かな隙間を介して大気と連通している。」（第４頁５欄１２〜２７行）、
(2c）「また、内視鏡の洗浄時に図３に示したバルブ−ボタンユニットをバルブケーシング３０から取り外して、このバルブ−ボタンユニットも同時に洗浄するが、この洗浄時には空間Ｓ内に洗浄液が入り込むこともある。しかしながら、これらは連結リング４０の下面に設けた流通孔５１を介して円滑かつ確実に外部に排出することができる。」（第４頁６欄１６〜２２行）、
がそれぞれ図面と共に記載されている。
　
(3）甲第３号証刊行物には、
　内視鏡の吸引制御装置に関して記載されており、
(3a）「また、このばね受け部材１４には第４図で示すようにその周縁部に複数の切欠け部２７を形成してある。そして、この各切欠け部２７によりシリンダ６の内周面との間に流通用の隙間２８を形成する。」（第3頁5欄23〜27第行）
が図面と共に記載されている。
　
３．４　対比・判断
　本件発明と甲号各証に記載の発明とを対比すると、
本件発明は、図３３で示されるストッパ２７２とピストンの突き当て部２７１との間に形成される袋小路部２７３の排水を良くすることによって、洗浄作業の作業能率を高めることを目的とするものであって、そのための解決手段として上記訂正請求によって訂正された「前記ピストンが前記突出部に当接された状態で、前記取付け部材と前記ピストンとの間の空間と、前記突出部と前記ピストンとの当接部の外側空間との間を連通する連通路を前記突出部の前記ピストンが当接する部分の一部に設けた」構成としたものである。
　ところが、甲号各証のいずれにも、本件発明の特徴とする上記構成については記載も示唆もされていない。
　すなわち、甲第１号証における「操作部３」、「シリンダ２４」、「ゴム部材３７」、「内縁突起３７ａ」、「ピストン３１」、「突当て部材３６」、「コイルばね４５」、および「リーク孔４６」が、それぞれ本件発明における「操作部」、「シリンダ」、「取付け部材」、「段差部」、「ピストン」、「突出部」、「付勢部材」、および「連通路」に相当するから、甲第１号証には、「内視鏡の操作部に取付けられた流体管路切換え用のシリンダに対して着脱可能に取付けられる取付け部材（ゴム部材３７）と、この取付け部材の内周面に段差部（内縁突起３７ａ）を形成するように突設され、前記シリンダ内に摺動自在に嵌挿される流体管路切換え用のピストンの前記シリンダの外方向への移動を規制する突出部（突当て部材３６）と、前記取付け部材の段差部と前記ピストンとの間に介設され、前記ピストンを前記突出部に当接させる方向に付勢する付勢部材（コイルばね４５）とを備えた内視鏡用流体管路切換え装置において、前記ピストンが前記突出部に当接された状態で、前記取付け部材と前記ピストンとの間の空間と、前記突出部と前記ピストンとの当接部の外側空間との間を連通する連通路（リーク孔４６）を前記突出部に設けた内視鏡用流体管路切換え装置。」が記載されているものと認められるものの、本願発明の訂正された上記「連通路を前記突出部の前記ピストンが当接する部分の一部に設けた」構成は記載も示唆もされていない。
　そして、甲第１号証のリーク孔４６が、ピストン３１の中空孔３２を開孔３３を通じて外部へ連通させ外気を吸引していることから、スペース的に見ても前記リーク孔を突当て部材のピストンが当接する部分の一部に設けることの蓋然性を認めることはできない。
　
　甲第２号証からは、本件発明の「内視鏡の操作部に取付けられた流体管路切換え用のシリンダに対して着脱可能に取付けられる取付け部材と、この取付け部材の内周面に段差部を形成するように突設され、前記シリンダ内に摺動自在に嵌挿される流体管路切換え用のピストンの前記シリンダの外方向への移動を規制する突出部と、前記取付け部材の段差部と前記ピストンとの間に介設され、前記ピストンを前記突出部に当接させる方向に付勢する付勢部材とを備えた内視鏡用流体管路切換え装置において、前記ピストンが前記突出部に当接された状態で、前記取付け部材と前記ピストンとの間の空間と、前記突出部と前記ピストンとの当接部の外側空間との間を連通する連通路を前記突出部に設けた内視鏡用流体管路切換え装置。」に相当する構成が把握できるものの、本件発明の訂正された上記「連通路を前記突出部の前記ピストンが当接する部分の一部に設けた」に相当する構成は記載も示唆もされていない。
　そして、甲第２号証のものは、空間Ｓ内に入り込んだ洗浄液等を流通孔５１を介して円滑に排出することによって、洗浄効率を高くするという点では、本件発明と共通するものと認められるが、本件発明の課題としている、ピストンと突出部との間に形成される袋小路部の排水に関しては、問題意識も示されておらず、したがって前記流通孔を前記突出部の前記ピストンが当接する部分の一部に設けた構成を想到することが容易にできたものと認める根拠が存在しない。
　
　甲第３号証に記載のものは、周縁部に複数の切欠け部２７を形成したばね受け部材１４とシリンダ６の内周面との間に流通用の隙間２８を形成することが記載されているだけであって、本件発明の特徴とする上記構成を示唆するものではない。
　
　そして、本件発明は、上記連通路に関する構成を有することによって、その他の構成と相俟って明細書に記載の効果を奏するものと認められる。
　したがって、本件発明は、甲第１号証ないし甲第３号証に記載された発明に基いて当業者が容易に発明をすることができたものとは認められない。
　
３．５　むすび
　以上のとおりであるから、特許異議申立の理由によっては本件発明についての特許を取り消すことはできない。
　また、他に本件発明についての特許を取り消すべき理由を発見しない。
　したがって、本件発明についての特許は拒絶の査定をしなければならない特許出願に対してされたものと認めない。
　よって、特許法等の一部を改正する法律（平成６年法律第１１６号）附則第１４条の規定に基づく、特許法等の一部を改正する法律の施行に伴う経過措置を定める政令（平成７年政令第２０５号）第４条第２項の規定により、結論のとおり決定する。
【異議決定日】
平成１６年３月２日（２００４．３．２）
【訂正の要旨】
審決（決定）の【理由】欄参照。
（５４）【発明の名称】
内視鏡用流体管路切換え装置
（５７）【特許請求の範囲】
　【請求項１】　内視鏡の操作部に取付けられた流体管路切換え用のシリンダに対して着脱可能に取付けられる取付け部材と、この取付け部材の内周面に段差部を形成するように突設され、前記シリンダ内に摺動自在に嵌挿される流体管路切換え用のピストンの前記シリンダの外方向への移動を規制する突出部と、前記取付け部材の段差部と前記ピストンとの間に介設され、前記ピストンを前記突出部に当接させる方向に付勢する付勢部材とを備えた内視鏡用流体管路切換え装置において、前記ピストンが前記突出部に当接された状態で、前記取付け部材と前記ピストンとの間の空間と、前記突出部と前記ピストンとの当接部の外側空間との間を連通する連通路を前記突出部
の前記ピストンが当接する部分の一部
【発明の詳細な説明】
　【０００１】
　【産業上の利用分野】
　本発明は例えば固体撮像素子を有した電子内視鏡やイメージガイドファイバを有した内視鏡等に設けられ、送気や送水の切換えを行なう内視鏡用流体管路切換え装置に関する。
　【０００２】
　【従来の技術】
　例えば、消化器用の内視鏡では、内視鏡検査中に観察光学系の対物レンズに患者の体内の粘液等が付着し、観察光学系の視野を妨げることがある。そのため、内視鏡の対物レンズの近傍部位に送気送水ノズルを配設し、この送気送水ノズルから対物レンズの表面に空気や洗浄水を吹き付け、粘液等を除去する送気送水機構が内視鏡に設けられている。
　【０００３】
　この送気送水機構には送気送水ノズルと外部側の気体供給源および洗浄水供給源との間を連結する各流体管路の途中に介設され、各流体管路の連結状態を切換えて送気送水ノズルからの空気や洗浄水の流出状態を制御する流体管路切換え装置が設けられている。その代表的な例が実開平２−８８６０３号公報に示されている。
　【０００４】
　この流体管路切換え装置には内視鏡の操作部に埋設されたシリンダと、このシリンダ内に摺動可能に嵌挿され、送気及び送水の切換えを行なうピストンとが設けられている。この場合、シリンダには、気体供給源及び洗浄水供給源に連通する上流側の送気管路及び送水管路と、送気送水ノズルに連通する下流側の送気管路及び送水管路とが接続されている。そして、シリンダ内でのピストンの位置をその軸心方向に移動操作することにより、送気及び送水の切換えを行なうようになっている。
　【０００５】
　また、シリンダにおける操作部のケーシングの外部側に突出された外端部にはピストンの取付け部材が着脱可能に取付けられている。この取付け部材の内周面にはピストンのシリンダの外方向への移動を規制するストッパ（内方突出部）が突設されている。
　【０００６】
　さらに、取付け部材とピストンとの間にはピストンをストッパに当接させる方向に付勢するコイルばね（付勢部材）が介設されている。そして、このコイルばねのばね力によって自然状態ではピストンは常時、ストッパに密着して当接された定位置で静止されるとともに、このコイルばねのばね力に抗してピストンが押し込み操作されることにより、送気及び送水の切換えが行なわれるようになっている。
　【０００７】
　また、ピストンの外端部には指当て部材が螺合されて固定されている。この指当て部材にはコイルばねが外部側に露出されることを防止するカバー部が設けられている。さらに、取付け部材にも同様のカバー部が設けられている。この場合、指当て部材のカバー部は取付け部材のカバー部に遊嵌されている。そして、コイルばねは自然状態では指当て部材のカバー部および取付け部材のカバー部によって外装され、このコイルばねが外観に現れないようになっている。
　【０００８】
　さらに、上記取付け部材、ピストンおよびコイルばねは一体的に組み付けられてユニット化されている。そして、このピストンユニットは取付け部材によってシリンダに対して一体的に着脱自在に装着されている。
　【０００９】
　また、例えば図３３（Ａ），（Ｂ）に示すように従来の内視鏡の吸引ピストン２７０にはこの吸引ピストン２７０の上下方向への位置決めを規制する突き当て部２７１が吸引ピストン２７０の全周にわたって設けられている。また、突き当て部２７１に当接するストッパ２７２も輪状の形状をなしていた。したがって、吸引ピストン２７０を押し込まないときには、突き当て部２７１とストッパ２７２とが当接して袋小路２７３が形成されている。
　【００１０】
　【発明が解決しようとする課題】
　上記実開平２−８８６０３号公報の装置では、ピストンが押し込み操作されず、コイルばねが自然状態で保持されている状態で、ピストンはストッパに密着して当接された定位置で静止される。このとき、取付け部材のカバー部および指当て部材のカバー部の内側には袋小路状の空間が形成されている。そのため、内視鏡の洗浄作業時にはシリンダからピストンユニットの取付け部材を取外し、このピストンユニットを洗浄液に浸漬した際に、取付け部材のカバー部および指当て部材のカバー部の内側の袋小路状の空間内に浸入した洗浄液が洗浄作業の終了後、この袋小路状の空間内から流出しにくい問題がある。
　【００１１】
　したがって、洗浄作業の終了後、ピストンユニットに付着した洗浄液を洗い流す際にはピストンをコイルばねの付勢方向に逆らって押し込み、ピストンと取付け部材のストッパとの当接を解除した状態で、保持し続けたまま、清浄水中で揺動する等の面倒な操作を行なうことにより、取付け部材のカバー部および指当て部材のカバー部の内側の袋小路状の空間内に残留する洗浄液を洗い流す必要がある。
　【００１２】
　さらに、清浄水を水切りする際にも、同様にピストンをコイルばねの付勢方向に逆らって押し込んだ状態で、保持し続けたまま、指当て部材を上向きに保ってピストンユニットを略鉛直状態の姿勢で適宜の時間保持する等の操作が必要になるので、ピストンユニットの洗浄作業が面倒なものとなり、作業者の疲労が大きくなる問題がある。
　【００１３】
　また、図３３（Ａ），（Ｂ）の吸引ピストン２７０を洗浄する時には袋小路部２７３に洗浄液や水が溜まり易い問題がある。そのため、これを排出するためには、吸引ピストン２７０を押し込んで吸引ピストン２７０の突き当て部２７１とストッパ２７２との当接状態を解除して袋小路の空間を開放する必要があり、洗浄時に手間がかかる原因となっている。
　【００１４】
　本発明は上記事情に着目してなされたもので、その目的は、洗浄作業の作業能率を高めることができ、洗浄作業時の作業者の負担を軽減することができる内視鏡用流体管路切換え装置を提供することにある。
　【００１５】
　【課題を解決するための手段】
　本発明は内視鏡の操作部に取付けられた流体管路切換え用のシリンダに対して着脱可能に取付けられる取付け部材と、この取付け部材の内周面に段差部を形成するように突設され、前記シリンダ内に摺動自在に嵌挿される流体管路切換え用のピストンの前記シリンダの外方向への移動を規制する突出部と、前記取付け部材の段差部と前記ピストンとの間に介設され、前記ピストンを前記突出部に当接させる方向に付勢する付勢部材とを備えた内視鏡用流体管路切換え装置において、前記ピストンが前記突出部に当接された状態で、前記取付け部材と前記ピストンとの間の空間と、前記突出部と前記ピストンとの当接部の外側空間との間を連通する連通路を前記突出部
の前記ピストンが当接する部分の一部
　【００１６】
　【作用】
　ピストンを上向きにした状態で保持させることにより、取付け部材とピストンとの間の空間内に残留する流体、粉体、粒体等の残留物を突出部とピストンとの当接部の連通路を通して自重によって自然に流出させるようにしたものである。
　【００１７】
　【実施例】
　以下、本発明の第１の実施例を図１乃至図１３を参照して説明する。図１は内視鏡のシステム全体の概略構成を示すものである。図１中で、１はこの内視鏡の操作部である。この操作部１にはこれを手で保持するためのグリップ部２が設けられている。
　【００１８】
　また、操作部１には挿入部３の基端部およびユニバーサルコード４の基端部がそれぞれ接続されている。ここで、ユニバーサルコード４の先端部にはコネクタ５が設けられている。このコネクタ５は照明光を供給する光源装置６に接続されている。
　【００１９】
　また、挿入部３には長い可撓管部３ａが設けられており、この可撓管部３ａの先端側には湾曲部８と、その先に連結された先端部９とが設けられている。この場合、湾曲部８は操作部１に設けられたアングルノブ７により湾曲されるようになっている。
　【００２０】
　さらに、先端部９には挿入部３の内部に配設された鉗子チャンネルの先端開口部および観察光学系の対物レンズ（図示しない）に送気・送水するためのノズル１１７等が設けられている。
　【００２１】
　また、鉗子チャンネルの基端部側の開口部は操作部１に設けられた鉗子開口部１０に連通されている。この鉗子開口部１０には必要に応じて鉗子栓１１が付けられるようになっている。なお、挿入部３における操作部側の端部には破損を防止するための折止め（図示しない）が設けられ、この折止めが折止めカバー１２によって覆われている。
　【００２２】
　また、コネクタ５には送気装置１３および送水装置１４が接続されているとともに、映像信号を処理するビデオプロセッサ１５が接続アダプタ１６を介して接続されている。
　【００２３】
　さらに、ビデオプロセッサ１５には信号処理された映像信号による被写体像を表示するモニター１７と、映像信号を記録再生するＶＴＲデッキ１８と、映像信号により被写体像を印字するビデオプリンタ１９と、映像信号を記録する大容量の記憶装置であるビデオディスク２０等が接続されている。
　【００２４】
　また、操作部１にはビデオプロセッサ１５を操作するスイッチ２１が設けられているとともに、送気送水切換え装置（流体管路切換え装置）２２と、吸引するための吸引操作装置２３とが設けられている。そして、ノズル１１７からの送気・送水操作が送気送水切換え装置２２によって切換え制御されるようになっている。
　【００２５】
　また、図２は送気送水切換え装置２２の概略構成を示すものである。この送気送水切換え装置２２には操作部１のケーシング１ａに固着された流体管路切換え用のシリンダ１２８と、そのシリンダ１２８に着脱自在に装着されるピストンユニット１０１とが設けられている。そして、操作部１の内部にはこのシリンダ１２８の下側に挿入部３側に連なる内視鏡内蔵物が配設されている。なお、図２中で、シリンダ１２８内のピストンユニット１０１は左側が自然状態、右側が押し込み状態としてそれぞれ示されている。
　【００２６】
　さらに、シリンダ１２８には段差のある略円筒状のシリンダ本体３１が設けられている。このシリンダ本体３１の上端部は操作部１のケーシング１ａに形成された貫通孔に貫装され、外部側に突出されている。そして、シリンダ本体３１の上端突出部には口金３０がねじ込まれ、ケーシング１ａに固定されている。
　【００２７】
　また、シリンダ本体３１とケーシング１ａとの接合部位には座金３３が介設されている。そして、この座金３３によってシリンダ本体３１に加わる力を分散させ、応力集中による破損を防いでいる。さらに、シリンダ本体３１にはＯリング３２が環装されている。このＯリング３２は操作部１のケーシング１ａの貫通口に圧入され、操作部１の内部への気体、液体の侵入を防止している。
　【００２８】
　また、シリンダ本体３１の外周面には上から順に、気体出口である送気出口パイプ３９と、気体入口である送気入口パイプ４２と、液体出口である送液出口パイプ４４と、液体入口である送液入口パイプ４６とがそれぞれ接合固定されている。この場合、送気出口パイプ３９、送気入口パイプ４２、送液入口パイプ４６はシリンダ本体３１の外周面から略スイッチ２１の方向に向けて突出されている。なお、送気出口パイプ３９はシリンダ軸１２９に対して９０°以下４５°以上の角度をなす状態で配置されている。さらに、送液出口パイプ４４はシリンダ本体３１の外周面から略挿入部３の方向に向けて突出されている。
　【００２９】
　また、送気出口パイプ３９には送気弾性チューブ４１の基端部が外嵌されている。この場合、送気出口パイプ３９の外周面には環状のストッパ５７が突設されている。そして、送気弾性チューブ４１の基端部はこのストッパ５７に当接された状態で、送気出口パイプ３９にすきまなく接着されている。さらに、送気弾性チューブ４１の外周面にはこのチューブ４１を保護するためのコイル４０が遊嵌されている。このコイル４０の基端部はストッパ５７に当接された状態で、送気弾性チューブ４１に締着して接着されている。なお、送気弾性チューブ４１は座屈なくゆるやかに屈曲され、その先端部は挿入部３の方向に導かれている。
　【００３０】
　また、送気入口パイプ４２には送気チューブ４３の先端部が締着して外装されてすきまなく接着されている。同様に送液出口パイプ４４には送液チューブ４５の基端部が、上記送液入口パイプ４６には送液チューブ４７の先端部がそれぞれ締着して外装されてすきまなく接着されている。上記チューブ類の材質は例えば、ＰＴＦＥ，ＦＥＰ，ＴＦＥなどからなる。ここで、送液チューブ４５の先端部は挿入部３の方向に導かれ、送気チューブ４３の基端部には送気装置１３が連結され、送液チューブ４７の基端部には送水装置１４が連結されている。
　【００３１】
　さらに、シリンダ本体３１の下側開口部には底板４８が嵌合され、すきまなく接合されている。なお、シリンダ本体３１は角部半径がいずれも０．５ｍｍ以上に設定されている。
　【００３２】
　また、ピストンユニット１０１には略円筒形のピストン３４と、このピストン３４をシリンダ本体３１の口金３０に対して着脱可能に取付ける取付け部材２７と、取付け部材２７とピストン３４との間に介設されたコイルばね（付勢部材）２６とが設けられている。
　【００３３】
　ここで、ピストン３４の頭部にはばね受け部材２５がねじ込み固定されている。このばね受け部材２５には絶縁性材料によって形成された略リング状の指当て部材２４があらかじめねじ込み固定により一体化され、ばね受け部材２５と指当て部材２４の当接部のすき間は、充填剤あるいは接着剤によって埋められて、外表面が滑らかに形成されている。
　【００３４】
　また、ピストン３４の頭部は指当て部材２４に当接されており、指当て部材２４の開口部７４がピストン３４の筒内通路３４ａに連通されている。この場合、本実施例において、指当て部材２４の開口部７４とピストン３４の筒内通路３４ａとからなる連通路は内径３．８ｍｍ以上４．５ｍｍ以下の範囲で下に向かってなだらかに細くなる状態に形成されている。
　【００３５】
　さらに、ピストン３４の頭部と指当て部材２４との当接部間のわずかなすき間１６２には充填剤あるいは接着剤が埋められた状態で外表面が滑らかに成形されている。この場合、指当て部材２４の開口部７４から充填剤あるいは接着剤がピストン３４の頭部と指当て部材２４との間のわずかなすき間１６２に塗布され、埋められたのち、その周辺部位の余分な充填剤あるいは接着剤をふき取ることにより、平滑化されている。なお、指当て部材２４の材質は変性ＰＰＯ，ＰＳＦ，ＰＥＴなどの合成樹脂や、それらを主成分とするＦＲＰ材料によって形成されている。
　【００３６】
　また、取付け部材２７には略円管状のピストン受け２９とこのピストン受け２９を外装する弾性材料からなる絶縁性の外装部材２８とが設けられている。この外装部材２８の材質は例えば、ゴム、好ましくはシリコンゴム、ＰＶＣ，ＥＢＲなどや、それらの配合物から成る。さらに、外装部材２８の下端部には口金３０の外周面に形成されたリング状凹部３０ａ内に係脱可能に係合するフック部２８ａが突設されている。そして、ピストンユニット１０１をシリンダ本体３１側に装着する場合にはシリンダ本体３１内にピストン３４が挿入された状態で、取付け部材２７の外装部材２８がシリンダ本体３１側に押し込み操作される。この取付け部材２７の押し込み操作にともないシリンダ本体３１の口金３０の上方からこの口金３０のリング状凹部３０ａの上側の端縁部位を乗り越えて、取付け部材２７の外装部材２８のフック部２８ａがリング状凹部３０ａ内に圧入され、外装部材２８のフック部２８ａが口金３０のリング状凹部３０ａ内に係止されることにより、ピストンユニット１０１をシリンダ本体３１側に係脱可能に係止されるようになっている。
　【００３７】
　さらに、ピストン受け２９の内周面にはピストン３４がシリンダ本体３１の外方向に移動する動作を規制するピストンストッパ（内方突出部）１２７が突設されている。
　【００３８】
　また、ピストン３４の外周面には上部側にこのピストンストッパ１２７に対して接離可能に当接する環状のフランジ１２６が突設されている。この場合、ピストンユニット１０１のコイルばね２６はピストン３４側のばね受け部材２５とピストン受け２９のピストンストッパ１２７との間に介装されている。そして、このコイルばね２６のばね力によってピストン３４がピストン受け２９に対して、上方に付勢されており、自然状態においてピストン３４のフランジ１２６がピストンストッパ１２７に当接されてピストン３４が係止されている。
　【００３９】
　また、取付け部材２７にはコイルばね２６の略下半分を覆う下側カバー部２７ａが設けられている。さらに、ピストン３４側の指当て部材２４の外周部位には取付け部材２７側に向けて突出された略筒状（略傘状）の上側カバー部２４ａが設けられている。この上側カバー部２４ａは取付け部材２７の下側カバー部２７ａの外側に配置されている。そして、ピストン３４が押し込み操作されていない自然状態でも、ピストン３４が押し込み操作された状態でも常に上側カバー部２４ａと下側カバー部２７ａとの間にはすき間が保たれるようになっており、これらの上側カバー部２４ａと下側カバー部２７ａとによってコイルばね２６が外部側に露出されることを防止するようになっている。
　【００４０】
　これにより、指当て部材２４の外側に液体が上方および側方からかかったとしても内部に液体が浸入するおそれがない。また、操作部１の内蔵物に良導体を用いた場合でもコイルばね２６に指が直接触れることがなく、安全である。
　【００４１】
　また、ピストン３４の外周面にはフランジ１２６の下側にスライダリング３５が配設されている。このスライダリング３５はシリンダ本体３１の内周面に摺接されている。さらに、ピストン３４の下端部側の外周面にもシリンダ本体３１の内周面に摺接される摺接面１３０が突設されている。そして、スライダリング３５および摺接面１３０の２ケ所でピストン３４の偏心を防止しているため、ピストン３４とシリンダ本体３１の内周面との間の気密水密が確実になっている。
　【００４２】
　また、ピストン３４の外周面にはスライダリング３５より下側に、上から順に略リング状の第１のシール部材３６、弁体３７、第２のシール部材３８がいずれもピストン３４に水密気密に密着して設けられている。そして、これらの第１のシール部材３６、弁体３７、第２のシール部材３８によってピストン３４の外周面とシリンダ本体３１の内周面との間に流体流路が形成されている。ここで、スライダリング３５は流体流路の外部側に位置するため、汚れが付着しても管路内に汚物が侵入することがない。なお、スライダリング３５の材質は、ＰＰ，変性ＰＰＯ，ＰＳＦ，ＰＥＴなどの合成樹脂や、それらを主成分とするＦＲＰ材料によって形成されている。
　【００４３】
　また、第１のシール部材３６には第１のシール部材３６、弁体３７には第２，第３のシール部５９，６０、第２のシール部材３８には第４，第５のシール部６１，６２がそれぞれ設けられている。この場合、ピストン３４の外周面には弁体３７の第３のシール部６０と第２のシール部材３８の第４のシール部６１との間にピストン３４の筒内通路３４ａに連通する連通口７５が形成されている。
　【００４４】
　そして、ピストンユニット１０１のピストン３４が自然状態（ピストン３４が押し込み操作されていない状態）で保持されている場合にはピストン３４のフランジ１２６がピストンストッパ１２７に当接されてピストン３４が係止される通常位置で保持される。この状態では送液入口パイプ４６から送液出口パイプ４４へ向かう液体の流れが第２のシール部材３８の第５のシール部６２によって遮断されるとともに、ピストン３４における第２のシール部材３８の第４のシール部６１と弁体３７の第２のシール部５９との間の環状の流体通路と、送気入口パイプ４２との間が連通状態で保持されるようになっている。このとき、送気装置１３から送出される気体は送気チューブ４３から送気入口パイプ４２に導かれたのち、この送気入口パイプ４２からピストン３４における第２のシール部材３８の第４のシール部６１と弁体３７の第２のシール部５９との間の流体通路を介してピストン３４の連通口７５に流入し、ピストン３４の筒内通路３４ａを経て指当て部材２４の開口部７４から外部に流出するようになっている。
　【００４５】
　なお、ピストン３４の連通口７５および連通口７５から連なる管路は、奥にゆくほどその内径が細くなるように形成され、綿棒やブラシ等の洗浄具が確実に当たるようになっていて、汚れを落としやすい。また、上記管路の径変化部のテーパ面は該テーパ面の頂角を６０度以下に設定され、上記管路内の角部の半径は０．５ｍｍ以上に設定されている。
　【００４６】
　また、ピストンユニット１０１のピストン３４が通常位置で保持されたまま、指当て部材２４の開口部７４に手指を添えてふさぐと、送気装置１３からの気体の送出圧力によってピストン３４の弁体３７の第２のシール部５９が内側に折り曲げられてシリンダ本体３１の内壁面から第２のシール部５９が遊離する。この結果、送気入口パイプ４２から流入した気体は第１のシール部材３６の第１のシール部５８と第２のシール部材３８の第４のシール部６１との間に形成されるシリンダ本体３１内の流路を通過して送気出口パイプ３９から流出するようになっている。
　【００４７】
　また、指当て部材２４の開口部７４に手指を添えてふさいだまま、ピストンユニット１０１のピストン３４が押し込み操作された押し込み状態ではピストン３４の弁体３７の第３のシール部６０はシリンダ本体３１のテーパ面３１ａに圧接され、気密となる。このとき、送気装置１３から送出され、送気チューブ４３から送気入口パイプ４２に導かれた気体の流路が遮断されるとともに、第２のシール部材３８の第５のシール部６２は、シリンダ本体３１の底部の太径部３１ｂ内に移動し、シリンダ本体３１の内壁面との間に間隙が生じる。この結果、送液入口パイプ４６から流入した液体は第２のシール部材３８の第４のシール部６１によって形成されるシリンダ本体３１内の流路を通過して送液出口パイプ４４から流出する。
　【００４８】
　なお、本実施例の送気出口パイプ３９、送気弾性チューブ４１、送気入口パイプ４２、送気チューブ４３、送液出口パイプ４４、送液チューブ４５、送液入口パイプ４６、送液チューブ４７はいずれも内径１．５ｍｍに設定されていて、各々に対応するシリンダ本体３１の開口も等しい内径となっているので、内面に段差がなく、なめらかな管路となっている。
　【００４９】
　また、送気弾性チューブ４１、送気チューブ４３、送液チューブ４７は肉厚が０．２ｍｍ以上、０．３ｍｍ以下に設定されており、屈曲しやすく、操作部１内への配置が容易である。なお、送液チューブ４５は肉厚が０．４ｍｍ以上、０．５ｍｍ以下に設定され、特に厚くなっており、曲げ強さ、ねじれ強さが高い。
　【００５０】
　さらに、本実施例の第１のシール部材３６、第２のシール部材３８をピストン３４に装着した状態で第１のシール部５８、第４のシール部６１、第５のシール部６２は、いずれもその外直径は各々が当接するシリンダ本体３１の内直径に対し０．２ｍｍ大きくなる状態に設定されている。また、第１のシール部５８，第４のシール部６１，第５のシール部６２の各々の環状の凸部の半径は０．２ｍｍ以上、０．４以下で、その凸部の基部はなめらかな弧になっている。さらに、第３のシール部６０の凸部の半径は０．３ｍｍ以上、０．５ｍｍ以下で、その凸部の基部はなめらかな弧になっている。
　【００５１】
　また、本実施例の第１のシール部材３６、第２のシール部材３８はシリコンゴムからなり、硬度（ＪＩＳＫ６３０１，５．２項の試験法に基づいて算出した硬度）は４０度以上、６０度以下となっている。さらに、弁体３７は同様にシリコンゴムからなり、その硬度は３０度以上、５０度以下となっている。なお、上記シール部材３６、３８や弁体３７をその他のゴムであるＥＢＲ，ＰＶＣ，不燃ゴムなどや、それらの配合物によって形成してもよい。
　【００５２】
　また、ピストンユニット１０１の取付け部材２７にはピストン受け２９のピストンストッパ１２７の内端部にピストン３４のフランジ１２６がピストンストッパ１２７に当接された状態で、取付け部材２７の下側カバー部２７ａおよびピストン３４側の指当て部材２４の上側カバー部２４ａの内側に形成される袋小路状の空間Ｓ内と、ピストンストッパ１２７とピストン３４との当接部の外側空間Ｔとの間を連通する４つの連通路１３３が形成されている。この場合、４つの連通路１３３は図３に示すようにピストンストッパ１２７の軸心部に形成されているピストン３４の挿通用の貫通孔の周縁部位に４つの略半円状の切欠きを設けて形成されている。
　【００５３】
　ここで、連通路１３３を形成する略半円状の切欠は１つでも、２つでもよく、さらにそれ以上に多数でもよいし、このピストンストッパ１２７に例えば三角形等の多角形の貫通孔を形成し、その頂角部を連通路１３３としてもよいし、いかなる形状であってもよい。
　【００５４】
　次に、上記構成の作用について説明する。内視鏡の洗浄作業時には操作部１の送気・送水切換え装置２２のピストンユニット１０１がシリンダ１２８から取外される。このピストンユニット１０１の取外し作業時には取付け部材２７の外装部材２８がシリンダ本体３１から離間する方向に引き上げられる。この取付け部材２７の引き上げ操作にともない取付け部材２７の外装部材２８のフック部２８ａが口金３０のリング状凹部３０ａの上側の端縁部位を乗り越えて外部側に引き抜かれるので、外装部材２８のフック部２８ａと口金３０のリング状凹部３０ａとの係合が外れる。この状態で、ピストンユニット１０１をシリンダ１２８から引き抜くことにより、ピストン３４がシリンダ本体３１の外部側に引き抜かれ、ピストンユニット１０１全体が操作部１から取外される。
　【００５５】
　さらに、操作部１から取外されたピストンユニット１０１は洗浄液に浸漬される。このとき、洗浄液は指当て部材２４の上側カバー部２４ａと取付け部材２７の下側カバー部２７ａとの間のすき間から取付け部材２７の下側カバー部２７ａおよびピストン３４側の指当て部材２４の上側カバー部２４ａの内側に形成される袋小路状の空間Ｓ内にも流入される。
　【００５６】
　また、ピストンユニット１０１全体が洗浄液に浸漬され、洗浄作業が終了したのち、洗浄液からピストンユニット１０１が取り出され、続いてピストンユニット１０１に付着する洗浄液を洗い流す作業が行なわれる。このとき、流体中にピストンユニット１０１を浸した状態で、揺動させることにより、指当て部材２４の上側カバー部２４ａと取付け部材２７の下側カバー部２７ａとの間のすき間とともに、取付け部材２７のピストンストッパ１２７の４つの連通路１３３内を通して取付け部材２７の下側カバー部２７ａおよびピストン３４側の指当て部材２４の上側カバー部２４ａの内側に形成される袋小路状の空間Ｓ内に液体を流通させることができる。そのため、流体中にピストンユニット１０１を浸した状態で、揺動させるだけで容易に取付け部材２７の下側カバー部２７ａおよびピストン３４側の指当て部材２４の上側カバー部２４ａの内側に形成される袋小路状の空間Ｓ内の液体の置換が行われる。
　【００５７】
　また、ピストンユニット１０１を水中から取り出した状態で、指当て部材２４を上にして垂直に保持することにより、図４中の矢印に示すように取付け部材２７の下側カバー部２７ａおよびピストン３４側の指当て部材２４の上側カバー部２４ａの内側の袋小路状の空間Ｓ内の液体は重力に従い取付け部材２７のピストンストッパ１２７の４つの連通路１３３内を通してピストンストッパ１２７とピストン３４との当接部の外側空間Ｔ側（ピストンユニット１０１の外部側）に流出される。
　【００５８】
　そこで、上記構成のものにあっては次の効果を奏する。すなわち、ピストンユニット１０１の取付け部材２７におけるピストンストッパ１２７の内端部に凹陥状の４つの連通路１３３を形成し、ピストン３４のフランジ１２６がピストンストッパ１２７に当接された状態で、取付け部材２７の下側カバー部２７ａおよびピストン３４側の指当て部材２４の上側カバー部２４ａの内側に形成される袋小路状の空間Ｓ内と、ピストンストッパ１２７とピストン３４との当接部の外側空間Ｔとの間をピストンストッパ１２７の連通路１３３を介して連通させるようにしたので、操作部１から取外されたピストンユニット１０１を洗浄する際にピストンユニット１０１を水中から取り出した状態で、指当て部材２４を上にして垂直に保持することにより、取付け部材２７の下側カバー部２７ａおよびピストン３４側の指当て部材２４の上側カバー部２４ａの内側の袋小路状の空間Ｓ内の液体をピストンストッパ１２７の４つの連通路１３３内を通してピストンユニット１０１の外部側に簡単に流出させることができる。
　【００５９】
　そのため、従来のようにピストンユニット１０１に付着した洗浄液を洗い流す際にピストン３４をコイルばね２６の付勢方向に逆らって押し込み、ピストン３４と取付け部材２７のピストンストッパ１２７との当接を解除した状態で、保持し続けたまま、清浄水中で揺動する等の面倒な操作を格別に行なう必要がないので、ピストンユニット１０１の洗浄作業の作業能率を高めることができ、洗浄作業時の作業者の負担を軽減することができる。
　【００６０】
　さらに、ピストンユニット１０１の取付け部材２７の下側カバー部２７ａおよび指当て部材２４の上側カバー部２４ａの内側の袋小路状の空間Ｓの内部に進入した、流体、あるいは粉体、粒体が容易に流出、あるいは置換させることができるので、上記袋小路状の空間Ｓの内部に汚物が進入した際に、この汚物を容易に排出できる。
　【００６１】
　また、洗浄時にも上記袋小路状の空間Ｓの内部の洗浄液が容易に置換されるので、上記袋小路状の空聞Ｓの内部表面に新鮮で活性の高い洗浄液が触れやすくなり、洗浄効果が高まる。これは、消毒時にも同様で、消毒液による消毒効果が高まる。
　【００６２】
　また、洗浄、消毒等の操作後の清浄水によるリンス時においても同様で、洗浄液、消毒液の拡散、置換が早く行われ、人体や構成部材に悪影響を及ぼす有害物質を短時間に洗い流すことができる。
　【００６３】
　さらに、水切りの際にも、従来水切りが難しかった上記袋小路状の空間Ｓの内部を容易に水切りを行なうことができ、水切り後に上記袋小路状の空間Ｓの内部に残留した水分も新鮮な空気に触れるため、乾燥が早まるという効果もある。
　【００６４】
　また、図５はシリンダ本体３１の内端部の概略構成を示すものである。なお、図５中で、太い矢印はピストン３４の戻り動作方向を示し、細い矢印はピストン３４の戻り動作時の第２のシール部材３８の先端部のたわみ方向を示すものである。
　【００６５】
　さらに、シリンダ本体３１の底板４８は上面が皿状に形成されている。ここで、シリンダ本体３１の内周面には送液入口パイプ４６との連結部の近傍部位にオーバーハング１３４が形成されている。このオーバーハング１３４には２段の（第１，第２の）テーパ面１３５，１３６が形成されている。ここで、第１のテーパ面１３５はテーパ面の頂角が２０°以上、４０°以下に設定され、第２のテーパ面１３６はテーパ面の頂角が８０°以上、１８０°以下に設定されている。
　【００６６】
　また、第１のテーパ面１３５の下端と第２のテーパ面１３６の上端との間の角部の直径ｄ２は少なくとも第５のシール部６２の外直径ｄ１より大きくなる状態に設定されている。そのため、第５のシール部６２は第１のテーパ面１３５と第２のテーパ面１３６との間の角部に接触しないので、ピストン３４の戻り動作を防げることはない。
　【００６７】
　また、ピストン３４の先端太径部１３７は第２のシール部材３８の支持機能を有する。ここで、シリンダ軸１２９に対して第２のシール部材３８の第５のシール部６２の横断面位置と異なる横断面位置に上記先端太径部１３７が配置されているので、第５のシール部６２がたわみやすいという作用がある。さらに、本実施例において、第２のシール部材３８には先端凹部６３を設けているため、第５のシール部６２が矢印の方向にスイングしてたわむ作用がある。従って、第５のシール部６２の変形に要する力は小さくなるので、ピストン３４の戻り動作に要するシリンダ軸１２９の方向の分力も小さくなり、応答性が高まる。また、シール部に使用する潤滑剤を不要としたり、コイルばね２６の装備力量を低減して、操作者の疲労を軽減する効果を生ずる。
　【００６８】
　また、シリンダ本体３１の下部外周面には図６に示すようにリング状の凹陥溝部３１ｃが形成されている。この凹陥溝部３１ｃの下部の張出部４９には送気弾性チューブ４１の外装コイル４０が接着剤、半田、クリーム半田などの第１の接合材料５０によって接合されている。これによって送気弾性チューブ４１とコイル４０はシリンダ本体３１に対して固定されて一体として扱うことができる。さらに、送気弾性チューブ４１の突出し方向を任意に定めることができる。これにより、シリンダ本体３１を操作部１に取り付ける作業時に送気弾性チューブ４１の動きを少なくすることができ、その作業の妨げにならない。
　【００６９】
　また、本実施例においては、コイル４０の内径は送気弾性チューブ４１の外径より、０．１ｍｍ以上大きく設定されている。そのため、送気弾性チューブ４１に対してコイル４０は摺動可能であり、曲げ操作の支障にならない。
　【００７０】
　なお、第１の接合材料５０は接着剤でもよいし、半田や、ろうでもよい。さらに、図１７に示す変形例のようにシリンダ本体３１の張出部４９に設けたホルダー穴１６１に、送気弾性チューブ４１のコイル４０を圧入して係止してもよい。この場合、コイル４０をホルダー穴１６１に遊嵌して接合材料で接合する構成にしてもよい。
　【００７１】
　また、図７はシリンダ本体３１の外周面に接合される送液入口パイプ４６の接合部を示すものである。なお、シリンダ本体３１の外周面に接合される送液入口パイプ４６以外の他のパイプ、すなわち送気出口パイプ３９、送気入口パイプ４２、送液出口パイプ４４のそれぞれの接合部も同様の構成になっているので、ここでは送液入口パイプ４６の接合部を代表して示している。他の接合部もそれぞれ同様な構成である。
　【００７２】
　ここで、シリンダ本体３１の下部外周面には送液入口パイプ４６の接合用のザグリ穴３１ｄが形成されている。このザグリ穴３１ｄに挿入される送液入口パイプ４６の先端肉厚部１３８の端面１４２とザグリ穴３１ｄとの当接面には第２の接合材料５１が送液入口パイプ４６の軸方向にすきまなく充填されて接合されている。さらに、ザグリ穴３１ｄに送液入口パイプ４６の先端肉厚部１３８が挿入されたのち、このザグリ穴３１ｄ内に第３の接合材料５２が充填され、送液入口パイプ４６の先端肉厚部１３８の外端面はこの第３の接合材料５２中に埋設されている。したがって、ザグリ穴３１ｄと送液入口パイプ４６の先端肉厚部１３８との接合部にはすきまがないので汚れがたまりにくい。なお、第３の接合材料５２は送液入口パイプ４６のあおり強度の向上のために用いられている。
　【００７３】
　また、ザグリ穴３１ｄに送液入口パイプ４６の先端肉厚部１３８を挿入して接合する接合作業時には図７に示す芯金５５が使用される。この芯金５５の外周面にはＰＴＦＥ，ＦＥＰ，ＴＦＥ等の耐熱性が高い樹脂からなる被覆５６が外装されている。この被覆５６の外径は送液入口パイプ４６およびシリンダ本体３１の開口穴１４０の内径と略同径で、わずかに大きい。
　【００７４】
　そして、その接合作業時にはまず最初にシリンダ本体３１のザグリ穴３１ｄから開口穴１４０内を経てシリンダ本体３１内へ突出する位置まで芯金５５を圧入する。続いて、第２の接合材料５１を送液入口パイプ４６の先端肉厚部１３８の端面１４２に付着させ、シリンダ本体３１のザグリ穴３１ｄ内へ圧入する。ここで、第２の接合材料５１に半田を用いた時は送液入口パイプ４６をシリンダ本体３１に向けて軸方向に加圧しながら半田の融点に達するまで加熱し、半田の内部の気泡を排出した後、冷却し、最後に芯金５５および被覆５６を抜去することにより、欠陥のない、内面のなめらかな接合部を得る。
　【００７５】
　また、シリンダ本体３１の底板４８の外面の角部には比較的大きな（０．５ｍｍ程度）面取り部４８ａが形成されている。そのため、シリンダ本体３１の底板４８の外面の角部とシリンダ本体３１との接合部位に付着される第４の接合材料５３の接触面積が広くなっている。なお、第２の接合材料５１、第３の接合材料５２、第４の接合材料５３は半田、クリーム半田、接着剤などからなる。
　【００７６】
　また、図８はシリンダ１２８のシリンダ本体３１を操作部１のケーシング１ａに取付ける取付部を示す部分断面図である。ここで、ケーシング１ａに形成されたシリンダ本体３１の貫通孔１ａ１の周壁面にはＯリング取付け溝１ａ２および口金取付け溝１ａ３がそれぞれ形成されている。また、シリンダ本体３１の外端部外周面には雄ねじ部１２４ａが形成されている。そして、貫通孔１ａ１内にシリンダ本体３１の外端部が挿入され、シリンダ本体３１とＯリング取付け溝１ａ２との間にＯリング３２が嵌着された状態で、シリンダ本体３１の雄ねじ部１２４ａが口金３０のねじ穴部１２４ｂに螺合されてシリンダ本体３１が操作部１に固定されている。このとき、口金３０はケーシング１ａの口金取付け溝１ａ３内に挿入されている。
　【００７７】
　さらに、口金３０のねじ逃げ部１２２にはシリンダ本体３１のねじ逃げカバー部１２３が内嵌され、このねじ逃げ部１２２が外部に露出しないようになっている。そして、口金３０のねじ逃げ部１２２とシリンダ本体３１のねじ逃げカバー部１２３との間には充填剤１２５が充填されている。なお、充填剤１２５はＯリング３２の周囲部、ねじ逃げ部１２２内、および口金３０と操作部１の口金取付け溝１ａ３との間のすきまに充填され、はみ出した分はふき取られている。
　【００７８】
　また、ケーシング１ａの内面側とシリンダ本体３１との接合部位に介設された座金３３はプレス打抜加工で成形されており、この座金３３の外周部位には片面にバリ状のプレスダレ６４が突設されている。そして、この座金３３の装着時には操作部１のケーシング１ａの内面側と反対側にプレスダレ６４が向くように取付けられている。これによって比較的軟質の操作部１のケーシング１ａが比較的硬質の座金３３のプレスダレ４４により傷付くことを防止している。
　【００７９】
　また、図９はグリップ２の部分断面図を示すものである。ここで、グリップ２は内視鏡の先端部９を左側、送気送水切換え装置２２を上にしてアングルノブ７の反対側からみた状態で配置されている。
　【００８０】
　このグリップ２の内部には送液チューブ４５の先端部を先端側送液チューブ７８の基端部に連結するための第１のコネクタ７６ａと、送気弾性チューブ４１の先端部を先端側送気チューブ７９に連結するための第２のコネクタ７６ｂとが配設されている。
　【００８１】
　ここで、第１のコネクタ７６ａおよび第２のコネクタ７６ｂの本体７６の軸心部にはなめらかな表面をもつ貫通穴が形成されている。さらに、このコネクタ本体７６の一端部には２つ以上の平面部８０をもつ略円筒状の大径部１４３、他端部には先端側に向かうにしたがって細くなるテーパ部１４４がそれぞれ形成されている。このテーパ部１４４の基部外周面には雄ねじ部が形成されている。さらに、このコネクタ本体７６の大径部１４３には薄肉パイプ状の突出部１４５が突設されている。
　【００８２】
　また、コネクタ本体７６の雄ねじ部に螺着されるナット７７の外周面には平目ローレット加工が施されている。さらに、このナット７７の内部にはテーパ管１２１が配設されている。
　【００８３】
　そして、送液チューブ４５と先端側送液チューブ７８との連結作業時には送液チューブ４５が第１のコネクタ７６ａのコネクタ本体７６の突出部１４５に被嵌された状態で連結されるようになっている。さらに、先端側送液チューブ７８はコネクタ本体７６のテーパ部１４４に密着するように被嵌され、この状態で、ナット７７がコネクタ本体７６の雄ねじ部に螺着される。このとき、ナット７７のねじ込み動作にともないコネクタ本体７６のテーパ部１４４とナット７７のテーパ管１２１との間で先端側送液チューブ７８が締め付け固定されるようになっている。
　【００８４】
　また、送気弾性チューブ４１と先端側送気チューブ７９との連結作業時にも同様に送気弾性チューブ４１が第２のコネクタ７６ｂのコネクタ本体７６の突出部１４５に被嵌された状態で連結されるようになっている。さらに、先端側送気チューブ７９はコネクタ本体７６のテーパ部１４４に密着するように被嵌され、この状態で、ナット７７がコネクタ本体７６にねじ込まれる動作にともないコネクタ本体７６のテーパ部１４４とナット７７のテーパ管１２１との間で先端側送気チューブ７９が締め付け固定されるようになっている。
　【００８５】
　なお、本実施例において２つのコネクタ７６ａ，７６ｂはコネクタ本体７６と、ナット７７とが軸方向に重ならないように配置されている。この場合、どちらが先端部９側に配置されてもよい。さらに、先端側送液チューブ７８および先端側送気チューブ７９の各コネクタ７６ａ，７６ｂとの接続部の近傍にはいずれもループ状に屈曲成形されたループ形状部７８ａ，７９ａがそれぞれ配置されている。これらのループ形状部７８ａ，７９ａはグリップ２内の他の内蔵物の配置に応じて任意に成形してもよい。
　【００８６】
　また、送気弾性チューブ４１における第２のコネクタ７６ｂとの連結部ではコネクタ本体７６の突出部１４５に送気弾性チューブ４１の先端部が被嵌された状態で糸１４６をしばって接着されている。この場合、送気弾性チューブ４１の上のコイル４０の先端部は送気弾性チューブ４１の上に摺動自由に外嵌されている。そのため、チューブ４１の動きがコイル４０によって拘束されず、所望の向きに自由に変えられる効果がある。なお、送気弾性チューブ４１の両端にコイル４０を締着した場合にはコイル４０により送気弾性チューブ４１の動きが拘束されるため、むやみに曲げられて座屈することを防止することができる。
　【００８７】
　また、図１０（Ａ）は本実施例の挿入部３の先端部９、湾曲部８の内部構成を示すものである。ここで、可撓管部３ａの先端部にはチューブ連結部材１１２が配設されている。このチューブ連結部材１１２には送水パイプ１１３と、送気パイプ１１４と、集合パイプ１１５とが設けられている。
　【００８８】
　ここで、送水パイプ１１３は一端側に円筒部１１３ａ、他端側に半円筒部１１３ｂがそれぞれ設けられた曲げパイプによって形成されている。さらに、送気パイプ１１４には一端側に円筒部１１４ａ、他端側に半円筒部１１４ｂがそれぞれ形成されている。なお、送気パイプ１１４の半円筒部１１４ｂは送水パイプ１１３の半円筒部１１３ｂと同じ外径に設定されている。また、集合パイプ１１５の内径は送水パイプ１１３の半円筒部１１３ｂおよび送気パイプ１１４の半円筒部１１４ｂの外径とほぼ等しく設定されている。そして、図１０（Ｂ）に示すように集合パイプ１１５には送水パイプ１１３の半円筒部１１３ｂおよび送気パイプ１１４の半円筒部１１４ｂが合わせて嵌入され、すき間には接着剤もしくは半田からなる第５の接合材料１５１が密に充填されている。これによってチューブ連結部材１１２には内面がなめらかで、かつ外周面形状がいずれも円筒形となる３つの連結端部が形成されてチューブの接続が確実になっている。
　【００８９】
　さらに、チューブ連結部材１１２における送水パイプ１１３の円筒部１１３ａには先端側送液チューブ７８の先端部、送気パイプ１１４の円筒部１１４ａには先端側送気チューブ７９の先端部がそれぞれ接続されている。
　【００９０】
　また、チューブ連結部材１１２の集合パイプ１１５には送気送水チューブ１１６の基端部が接続されている。この送気送水チューブ１１６の先端部はノズル１１７の基端部に接続されている。この場合、ノズル１１７の基端部は先端部９を貫通して湾曲部８の内部側に延出され、この延出端部に送気送水チューブ１１６の先端部が接続されている。
　【００９１】
　なお、図１０（Ａ）に示すようにノズル１１７に固形物１１８が詰まった場合には送気送水が不可能となるので、ワイヤ１１９によって固形物１１８を破砕する。このワイヤ１１９はコイルやより線の線材などから形成されており、このワイヤ１１９の先端にはチューブ内面を保護するために半球状のチップ１２０が装着されている。
　【００９２】
　さらに、このワイヤ１１９は図２のシリンダ本体３１の斜め上方に開口した送気出口パイプ３９に斜め上方から導入され、送気弾性チューブ４１、先端側送気チューブ７９、チューブ連結部材１１２の送気パイプ１１４を通過してノズル１１７内の固形物１１８を破砕し、このノズル１１７の先端開口部から外部側に突出させるようになっている。
　【００９３】
　なお、固形物１１８の詰まり位置はチューブ連結部材１１２の送気パイプ１１４内であっても破砕できる。そして、破砕後はワイヤ１１９と同様に図示しないブラシを挿入することにより、残留した破砕片を送気管路内から削ぎ落とすことができる。そのため、常に流水が流れている送水管路に比べて詰まりやすい送気管路内に常に有効な管路断面積を確保することができ、気体流量が初期状態と同様に保たれる。
　【００９４】
　また、図１１は本実施例の折止めカバー１２部分の先端側の断面である。この折止めカバー１２は挿入部３に外嵌され、この挿入部３の座屈を防止する折止め６５に遊嵌する膜状の部材である。この折止めカバー１２の先端側の小径部にはリング状の第１の形状記憶部材６６が内蔵されている。
　【００９５】
　この第１の形状記憶部材６６の材質は形状記憶合金、形状記憶樹脂、形状記憶ゴム等のいずれを用いてもよい。さらに、折止めカバー１２、折止め６５の材質は天然ゴム、ＳＢＲ，ＮＢＲ，ＥＰＢなどや、それらの配合物や、ウレタン系エラストマーでもよい。
　【００９６】
　また、第１の形状記憶部材６６は内視鏡使用環境温度範囲においては折止めカバー１２の前端を挿入部３に水密・気密に密着させる直径を保ち、内視鏡保管温度範囲内の加温あるいは冷却によって直径が拡大し、折止めカバー１２の前端を挿入部３に対し遊嵌するように形状を記憶させている。これによって、内視鏡使用時においては折止めカバー１２の内部に汚物が侵入することを防ぎ、なおかつ内視鏡にダメージも与えずに折止めカバー１２の挿入部３の太径部分の通過を容易にし、脱着を簡便にしている。
　【００９７】
　さらに、図１２は折止めカバー１２の後端部を示すものである。ここで、折止め６５の内周面側にはこの折止め６５の取付け部材６８が接合され、この折止め６５と一体化されている。この取付け部材６８の内周面にはねじ穴部６９ａが形成されている。そして、このねじ穴部６９ａにグリップ部２の雄ねじ部６９ｂが螺合されて折止め６５がグリップ部２にねじ込み固定されている。
　【００９８】
　また、折止めカバー１２の後端側の大径部にはリング状の第２の形状記憶部材６７が内蔵されている。この第２の形状記憶部材６７は内視鏡使用環境温度範囲においては折止めカバー１２の後端を折止め６５の大径部に水密・気密に密着させる直径を保ち、内視鏡保管温度範囲内の加温あるいは冷却によって直径が拡大し、折止めカバー１２の後端を折止め６５の大径部に対し、遊嵌するように形状を記憶させている。したがって、折止めカバー１２の両端部固定部にはねじ部などの複雑な固定手段を用いなくて済むので、折止め部の細径化、小型化が実現している。
　【００９９】
　また、図１３は折止め６５の取付け状態を示している。なお、ここでは折止めカバー１２は図示されていない。折止め６５の小径部にはリング状の第３の形状記憶部材７０、大径部にはリング状の第４の形状記憶部材７１がそれぞれ内蔵されている。この場合、第３の形状記憶部材７０は挿入部３に折止め６５の先端を密着させて水密気密に保持し、第４の形状記憶部材７１はグリップ部２の折止め取付け部７２に締着されている。この場合も前述の図１１の場合と同様な作用・効果を持ち、折止め６５は脱着容易になっている。
　【０１００】
　なお、図１４は折止め６５の先端の小径部を挿入部３に水密気密に固定する手段の変形例を示すものである。すなわち、ここでは挿入部３に対して遊嵌する折止め６５の先端を別体のリング状の第５の形状記憶部材７３によって外嵌し、挿入部３に密着させて水密気密固定する構成にしている。この場合も前述の図１１の場合と同様な作用・効果を持つ。
　【０１０１】
　また、上記折止め６５および折止めカバー１２全体を形状記憶部材で形成することも可能であり、上記各構成と同様の作用・効果を生ずる。さらに、上記第１の形状記憶部材６６、第２の形状記憶部材６７、第３の形状記憶部材７０、第５の形状記憶部材７３をポリオレフィン、ＰＶＣ、ＦＥＰ、ＴＦＥなどの樹脂材料からなる熱収縮部材に置換すると、１回の装着の際に限り形状記憶部材と同様な作用・効果を得られる。熱収縮部材は比較的安価なので、再使用をしないで破棄できる。また、折止め６５および折止めカバー１２を熱収縮部材により形成してもよい。
　【０１０２】
　また、図１５（Ａ）は本実施例のコネクタ５の吸引口金１５２に図示しない吸引装置の吸引チューブ１５４を着脱自在に水密気密に嵌合した使用状態を示すものである。ここで、吸引口金１５２には先端側から細径部１５６、中径部１５７、太径部１５８が順次形成されている。
　【０１０３】
　さらに、吸引チューブ１５４における吸引口金１５２との連結端部には吸引口金１５２の太径部１５８に外嵌される先端部側の大径な第１の穴部１５９と、細径部１５６に外嵌される小径な第２の穴部１６０とが形成されている。
　【０１０４】
　また、図１５（Ｂ）はコネクタ５の吸引口金１５２から吸引チューブ１５４を取外し、代わりにこの吸引口金１５２に洗浄チューブ１５３を接続させた状態を示すものである。この洗浄チューブ１５３の接続端部は吸引口金１５２の中径部１５７に着脱自在に気密水密に嵌合されるようになっている。この洗浄チューブ１５３の基端部には図示しない吸引ポンプが接続されている。
　【０１０５】
　そして、洗浄チューブ１５３の使用時には吸引口金１５２内の洗浄液は吸引ポンプによって吸引され、図１５（Ｂ）中で右方向に流れている。そのため、洗浄時に吸引管路内から流出した汚物は吸引口金１５２の細径部１５６と洗浄チューブ１５３との間のすきまに蓄積し、吸引口金１５２における細径部１５６と中径部１５７との段差部に被着物１５５が形成される。
　【０１０６】
　また、吸引口金１５２から洗浄チューブ１５３を取り外し、吸引チューブ１５４を接続した場合にはこの吸引チューブ１５４の先端部側の大径な第１の穴部１５９が吸引口金１５２の太径部１５８に外嵌され、小径な第２の穴部１６０が細径部１５６に外嵌される。このとき、被着物１５５は吸引チューブ１５４と吸引口金１５２との接続部の内部空間に密封され、外部に流出することがない。
　【０１０７】
　従って、吸引管路の洗浄・吸引を繰り返しても被着物１５５が内視鏡の外表面に露呈せず、内視鏡の外表面を洗浄する手間が省ける。また、吸引チューブ１５４と吸引口金１５２との接続部の内部空間に蓄積した被着物１５５は内視鏡全体を洗浄する時に洗い流される。
　【０１０８】
　なお、図１６に示すように、吸引チューブ１５４の第２の穴部１６０の先端部に吸引口金１５２の細径部１５６に外嵌されるチューブ状の小径リング部１６０ａを形成してもよい。
　【０１０９】
　また、図１８は本発明の第２の実施例を示すものである。これは、第１の実施例のようにピストンユニット１０１の取付け部材２７におけるピストンストッパ１２７の内端部に連通路１３３を形成する代りに、ピストン３４のフランジ１２６に上記連通路１３３を形成したものである。
　【０１１０】
　この場合、ピストンストッパ１２７の貫通孔形状は円形状に形成されている。さらに、ピストン３４のフランジ１２６は円形状に形成され、この円形状のフランジ１２６の外周部位に半円形状、或いはそれ以外のいかなる形状の切欠きを設けて連通路１３３を形成してもよい。また、フランジ１２６を多角形に形成することにより、連通路１３３を形成してもよい。
　【０１１１】
　そこで、上記構成のもにあってはピストンストッパ１２７の貫通孔１４７の形状を円形に形成することができるので、貫通孔１４７の内周面とピストン３４の外周面との間のクリアランスを一定にすることができる。そのため、ピストン３４の摺動動作時にガタ付きし難くなる効果がある。
　【０１１２】
　また、ピストンストッパ１２７およびフランジ１２６の両方を円形以外の異形状に形成し、ピストンストッパ１２７とフランジ１２６との間に形成される隙間によって連通路１３３を形成してもよい。
　【０１１３】
　また、図１９乃至図２１は本発明の第３の実施例を示すものである。これは、第１の実施例の送気送水切換え装置２２のシリンダ１２８およびピストンユニット１０１の構成を一部変更したものであり、それ以外の構成は第１の実施例と同じである。
　【０１１４】
　すなわち、本実施例ではシリンダ１２８のシリンダ本体１０２に第１の実施例の送気出口パイプ３９、送気入口パイプ４２、送液出口パイプ４４、送液入口パイプ４６にそれぞれ対応する連結パイプ部（管路分岐部材）１０３、１０４、１０５、１０６が一体に成形されている。各連結パイプ部１０３、１０４、１０５、１０６にはそれぞれ送気弾性チューブ４１、送気チューブ４３、送液チューブ４５、送液チューブ４７がそれぞれ接続されている。
　【０１１５】
　また、ピストンユニット１０１のピストン１１１には第１の実施例の第１のシール部材３６に対応するシール部１０９と、第１の実施例の弁体３７に対応する弁部１１０とが一体に形成された第３のシール部材１０７と、第１の実施例の第２のシール部材３８に対応する第４のシール部材１０８とが設けられている。そして、このピストン１１１は第１の実施例と同様の作用・効果を持つ。
　【０１１６】
　なお、第１の実施例のシリンダ１２８のシリンダ本体３１と、第３の実施例のシリンダ１３２のシリンダ本体１０２の内面の形状はまったく同じく形成されているので、図２０に示すように第１の実施例のシリンダ本体３１に第３の実施例のピストン１１１を組み合わせて使用でき、逆に第３の実施例のシリンダ本体１０２に第３の実施例のピストン３４を組み合わせて使用してもよい。
　【０１１７】
　したがって、１つの内視鏡に複数種類のピストンを必要に応じて適宜選択的に装着することができるとともに、１つのピストンを複数種類の内視鏡に適宜選択的に装着することができる。
　【０１１８】
　また、本実施例のピストン受け２９のピストンストッパ１２７には図２１に示すように４つの丸穴が形成され、これらの丸穴によって連通路１３３が形成されている。
　【０１１９】
　なお、連通路１３３を形成する穴の形状・数はどのようであってもよく、ピストン１１１のフランジ１２６に設けてもよい。また、１４７はピストン受け２９の貫通穴で、この貫通穴１４７内にピストン１１１が貫装されている。
　【０１２０】
　そこで、上記構成のものにあってはピストンストッパ１２７とフランジ１２６の当接面積を大きくとることができ、ピストン１１１が自然状態において垂直に安定しやすくなる効果がある。また、ピストン１１１と貫通穴１４７との間のクリアランスがピストン１１１の全周で等しいので、ピストン１１１の軸の不要な偏心が防止できる。その他の作用効果は第１の実施例と同じである。
　【０１２１】
　また、図２２は本発明の第４の実施例を示すものである。これは、ピストン１１１のフランジ１２６に第３の実施例のような複数の独立した穴を設けて連通路１３３を形成したものである。
　【０１２２】
　さらに、ピストン１１１のフランジ１２６とピストン受け２９のピストンストッパ１２７の両方に穴を設けて連通路１３３を形成しても良い。このように両方に穴を設けた場合には連通路１３３の通路断面積が大きくなり、流体が通りやすくなる。そのため、水切り、流体置換がより早くなる。
　【０１２３】
　また、図２３および図２４は本発明の第５の実施例を示すものである。これは、ピストン受け２９のピストンストッパ１２７におけるピストン１１１のフランジ１２６との当接面に図２４に示すように波状の複数の凹部１４８と凸部１４９とを形成し、各凹部１４８によって連通路１３３を形成したものである。この凹凸の形状は矩形であってもよいし、楔形であってもよい。本実施例の作用効果は第１の実施例と同じである。
　【０１２４】
　なお、第５の実施例のピストンユニット１５０を第３の実施例のシリンダ本体１０２に組み合わせて使用することができるのはいうまでもない。また、図２５に示す第６の実施例のようにピストンストッパ１２７とフランジ１２６の当接部のフランジ１２６側に第５の実施例のような凹凸を設けて連通路１３３を形成してもよい。
　【０１２５】
　また、フランジ１２６とピストンストッパ１２７の両方に互いにかみ合わないようにした凹凸を設けて、連通路１３３を設けてもよい。このように凹凸をフランジ１２６とピストンストッパ１２７の両方に設けると、連通路１３３の通路断面積が大きくなり流体が通りやすくなり、水切り、流体置換が早くなる。
　【０１２６】
　また、図２６乃至図３２は本発明の第７の実施例を示すものである。これは、内視鏡の吸引管路切換え装置に本発明を適用したものである。図２６は内視鏡全体の概略構成を示すもので、２０１は挿入部、２０２は挿入部２０１の基端部に連結された操作部、２０３はこの操作部２０２に基端部が連結されたユニバーサルコード、２０４はこのユニバーサルコード２０３の先端部に連結されたコネクタである。
　【０１２７】
　また、操作部２０２には吸引管路切換え装置２０６が配設されている。この吸引管路切換え装置２０６には上流側管路２０７の基端部および下流側管路２０８の先端部がそれぞれ連結されている。この場合、上流側管路２０７は操作部２０２内から挿入部２０１の内部を通って挿入部２０１の先端部側に延出され、挿入部２０１の先端部に配設された開口部に連結されている。さらに、下流側管路２０８は吸引管路切換え装置２０６からユニバーサルコード２０３内を通してコネクタ２０４の吸引チューブ接続口２１０に接続されている。
　【０１２８】
　また、コネクタ２０４の吸引チューブ接続口２１０には吸引チューブ２０９の一端が接続されている。この吸引チューブ２０９の他端は吸引ポンプ２１１に接続されている。
　【０１２９】
　図２７は上記吸引管路切換え装置２０６の詳細構造を示すものである。この吸引管路切換え装置２０６は吸引シリンダ２１２、吸引ピストン２１３、吸引ボタン２１４、取り付け部２１５によって構成される。
　【０１３０】
　吸引シリンダ２１２の側面には上流側管路２０７が、下部には下流側管路２０８の端部がそれぞれ接続されている。また、吸引シリンダ２１２の外側上端部には固定用ねじ部２１８が設けられている。この固定用ねじ部２１８には口金２２４のねじ穴２２５が螺合され、この口金２２４によって吸引シリンダ２１２が操作部２０２にＯリング２３０を介して水密固定されている。
　【０１３１】
　さらに、吸引シリンダ２１２の内面には上部に傾斜面２２０が設けられ、さらに傾斜面２２０の下側には吸引ピストン２１３が摺動するピストン摺動面２１９が設けられている。
　【０１３２】
　また、吸引シリンダ２１２の底部にはピストン摺動面２１９と下流側管路２０８とをつなぐ円錐形状の管路である傾斜管路部２２１が設けられている。この傾斜管路部２２１およびピストン摺動面２１９は本実施例においては、円形断面形状をなすが、この形状は正方形、ひし形、三角形、長方形、五角形、六角形、八角形あるいはその他の多角形断面形状であってもよい。
　【０１３３】
　また、吸引シリンダ２１２の上部には図２９（Ａ）に示す位置決め部材２２９と当接する当接面２３７が設けられている。さらに、図２９（Ｂ）および図２９（Ｃ）に示すように球形断面形状をなす固定用突起取り付け穴２３８が２箇所設けられている。なお、固定用突起取り付け穴２３８の断面形状は球形に限らず、円柱状、方形状であってもよい。
　【０１３４】
　また、本実施例では、２つの固定用突起取り付け穴２３８は１８０度の角度をなす位置に設けられているが、それ以外の角度であってもよい。また、固定用突起取り付け穴２３８は２箇所に限らず、１箇所あるいは３箇所以上でもよい。
　【０１３５】
　さらに、本実施例においては吸引ピストン２１３は金属あるいは硬質プラスチックなどによって形成されており、その形状は円柱形状をなしている。また、本実施例において、吸引ピストン２１３の断面形状は円形であるが、断面形状はピストン摺動面２１９と同じであれば多角形断面であってもよい。
　【０１３６】
　また、吸引ピストン２１３の内部には垂直方向に設けられた管路である垂直管路部２１６、垂直管路部２１６の上端部に設けられる吸引開口部２１７がそれぞｒ設けられている。これらの垂直管路部２１６および吸引開口部２１７は本実施例では円形断面形状をなすが、円形以外の多角形断面、楕円形などの非円形断面であってもかまわない。
　【０１３７】
　さらに、本実施例において、吸引開口部２１７は吸引ピストン２１３の外表面に２箇所設けられており、２つの吸引開口部２１７は１８０度離れて設けられている。この吸引開口部２１７の数は２つ以外の１つ又は３箇所以上でもかまわない。
　【０１３８】
　また、吸引ピストン２１３の上部側面には図２７の垂直方向に溝部２２２が設けられている。この溝部２２２の下側端部には突き当て面２４１が設けられている。なお、溝部２２２は図２８（Ａ）に示すように吸引ピストン２１３の円柱外表面の対向する位置に合計２箇所設けられているが、この数は１箇所あるいは３箇所以上であってもかまわない。
　【０１３９】
　また、溝部２２２の断面形状は本実施例で示した長方形断面ではなく、Ｖ字形、あるいは他の多角形断面形状であってもよい。さらに、吸引ピストン２１３の上端部には軸心部に吸引ボタン２１４を取り付けるためのねじ部２２３が設けられている。
　【０１４０】
　さらに、吸引シリンダ２１２を操作部２０２に固定する時に使用する口金２２４の内周部にはねじ穴２２５が、また上端部にはピストン取り付け用フランジ２２６がそれぞれ設けられている。
　【０１４１】
　そして、吸引シリンダ２１２の固定用ねじ部２１８と口金２２４のねじ部２２５との間を螺合させることで吸引シリンダ２１２を操作部２０２に対して固定している。また、吸引シリンダ２１２と操作部２０２との間の水気密はＯリング２３０によって保たれている。
　【０１４２】
　また、取り付け部２１５は取り付け基部２２７、インサート部品２２８および位置決め部材２２９から構成される。ここで、取り付け基部２２７は軟らかい樹脂によって形成され、例えばエストラマ、シリコンゴム、天然ゴムなどの樹脂で形成される。
　【０１４３】
　さらに、取り付け基部２２７は本実施例では斜度の大きい円錐台と斜度の小さい円錐台とを組み合わせた形状であるが、例えば円錐台形状あるいは円錐形状であってもかまわない。また、取り付け基部２２７の下部には半円形の断面形状をなす取り付け溝部２３１が全周にわたって設けられている。
　【０１４４】
　また、取り付け基部２２７の内部には変性ＰＰＯ、ポリサルフォン、硬質ポリエチレン、ポリカーボネイト、ポリアミド、フッ素樹脂などの硬質プラスチック材料、あるいはアルミニウム、ステンレス鋼、真鍮などの金属でできたインサート部品２２８が一体的に取り付けられている。インサート部品２２８の下部にはねじ部２３９が、またこのねじ部２３９の端部には突き当て部２４０がそれぞれ設けられている。
　【０１４５】
　また、位置決め部材２２９は変性ＰＰＯ、ポリサルフォン、硬質ポリエチレン、ポリカーバネイト、ポリアミド、フッ素樹脂などの硬質プラスチック材料、あるいはアルミニウム、ステンレス鋼、真鍮などの金属で形成される。この位置決め部材２２９は図２９（Ａ）に示すようにリング状の輪状基部２３２、輪状基部２３２から上方に突出する２本の支柱部２３３、支柱部２３３から水平方向に延出する当接部２３４、輪状基部２３２の下面に設けられて外形が球面によって構成される固定用突起２３５から構成される。
　【０１４６】
　固定用突起２３５の形状は、固定用取り付け穴２３８に嵌着する形状であれば、球形に限らず、円柱形、方形状であってもよい。本実施例においては支柱部２３３と固定用突起２３５とは９０度の角度をなす位置に設けられているが、支柱部２３３と固定用突起２３５は角度をなさない状態、つまり同じ場所に設けてもかまわない。
　【０１４７】
　また、２つの支柱部２３３は輪状基部２３２上に１８０度の間隔で設けられている。さらに、輪状基部２３２の外周部にはねじ部２３６が設けられている。本実施例において支柱部２３３の数は２箇所としているが、この数は吸引ピストン２１３の溝部２２２と同じ数であれば２箇所に限らず１箇所あるいは３箇所以上であってもかまわない。また、支柱部２３３、および当接部２３４は、本実施例ではともに角柱形状をなすが、円柱形状あるいは多角柱形状であってもよい。
　【０１４８】
　また、図３０は吸引ピストン２１３と、位置決め部材２２９の当接部の拡大図を示す。図３０および図２８（Ａ）に示すように当接部２３４は溝部２２２の中に挿通され、両者の間には空間２４２が形成される。
　【０１４９】
　さらに、図３１および図２８（Ａ）に示すように空間２４２の両端にはこの空間２４２を吸引ピストン２１３の外部に連通する連通路２４３が設けられている。図３０および図３２に示すように連通路２４３および空間２４２はともに突き当て面２４１の上側に設けられている。
　【０１５０】
　また、図３０に示すように位置決め部材２２９とインサート部材２２８はねじ部２３６とねじ部２３９とを螺合させて固定するとともに、突き当て部２４０に輪状基部２３２が当接することで両者の位置決めがなされている。さらに、位置決め部材２２９と吸引ボタン２１４との間には吸引ピストン２１３の付勢手段である吸引ばね２５５が設けられている。
　【０１５１】
　なお、本実施例は内視鏡の吸引管路切換え装置２０６について述べたが、例えば送気送水管路切換え装置や他の流体の管路切換え装置に適用することも可能である。
　【０１５２】
　次に、上記構成の作用について説明する。図２７および図２８（Ａ）に示すように、当接部２３４は吸引ピストン２１３の溝部２２２に摺動自在に挿通されている。このため、吸引ピストン２１３は位置決め部材２２９に対して回転しないので、吸引ピストン２１３と位置決め部材２２９の間で位置決めがなされる。
　【０１５３】
　さらに、吸引ピストン２１３を吸引シリンダ２１２に取り付ける場合、図２９（Ｂ）および図２８（Ｃ）に示すように固定用突起２３５が固定用突起取り付け穴２３８に嵌合する。これによって、位置決め部材２２９と吸引シリンダ２１２の回転方向の位置決めがなされる。
　【０１５４】
　さきに述べたように、吸引ピストン２１３は位置決め部材２２９に対して溝部２２２と当接部２３４によって位置決めされるので、位置決め部材２２９を吸引シリンダ２１２に取り付けた時点で吸引ピストン２１３と吸引シリンダ２１２の間の位置決めがなされる。
　【０１５５】
　また、吸引ばね２５５によって吸引ピストン２１３は上方向に付勢されているが、当接部２３４が突き当て面２４１に当接することで吸引ピストン２１３の上方向への位置決めがなされている。
　【０１５６】
　本実施例においては固定用突起２３５、固定用取り付け穴２３８、吸引開口部２１７がそれぞれ１８０度離れて２箇所ずつ設けられており、左右対称な形状になっている。このため、吸引ピストン２１３を吸引シリンダ２１２に取り付ける際に吸引ピストン２１３を最大９０度回転させるだけで吸引シリンダ２１２に取り付けられる。
　【０１５７】
　また、吸引ピストン２１３を吸引シリンダ２１２に固定すると取り付け基部２２７が弾性変形を起こして、取り付け溝部２３１と口金２２４が嵌合して吸引ピストン２１３の上方向への抜け止めとなる。取り付け基部２２７は弾性体でできているので、口金２２４に対して着脱が可能である。したがって吸引ピストン２１３は吸引シリンダ２１２に対して着脱自在に取り付けられる。
　【０１５８】
　また、吸引管路切換え装置２０６は、吸引ボタン２１４を押し込まない状態では下流側管路２０８、垂直管路部２１６、吸引開口部２１７が連通している。このとき、吸引開口部２１７は外部に開口した状態である。
　【０１５９】
　そして、吸引ボタン２１４を押し込むと付勢手段である吸引ばね２５５が圧縮されながら吸引開口部２１７が外部との連通を遮断されるとともに、上流側管路２０７と連通する。このため、上流側管路２０７、垂直管路部２１６、下流側管路２０８、吸引チューブ接続口２１０、吸引チューブ２０９が連通して吸引ポンプを作動させることで吸引動作が行われる。
　【０１６０】
　また、図２８（Ａ）および図３０に示すようにストッパ２３４および突き当て面２４１が、吸引ピストン２１３の全周ではなく一部にのみ設けられているので、吸引ピストン２１３の洗浄時に洗浄剤や洗浄水が当接部２３４と突き当て面２４１の間の空間２４２に入り込んでも空間２４２が連通路２４３によって外部と連通しており、袋小路状ではないので、空間２４２の内部に洗浄剤や洗浄水が溜まることがない。
　【０１６１】
　そこで、上記構成のものにあっては吸引ピストン２１３の上方向への動きを規制するために、吸引ピストン２１３に設けられる突き当て面２４１を吸引ピストン２１３の外周の一部にのみ形成し、この突き当て面２４１に当接するストッパ２３４が突き当て面２４１以外のピストン２１３外周部に当接しないようにして、突き当て面２４１とストッパ２３４との間に袋小路の空間をなくし、連通路２４３を構成したので、突き当て面２４１とストッパ２３４の間の空間に入った洗浄液や洗浄水が速やかに外部に排出させることができる。そのため、汚物の排出や、水切りが容易であり、作業時間の短縮を図ることができ、かつ吸引ピストン２１３の洗浄性を向上させることができる。また、洗浄作業を行う作業者の労力が軽減される。
　【０１６２】
　さらに、吸引ピストン２１３の突き当て面２４１とストッパ２３４を吸引ピストン２１３の外周の一部にのみ設けたことによって、洗浄時に吸引ピストン２１３とストッパ２３４の間に入った洗浄剤や洗浄水が外部に速やかに排出されるので、吸引ピストン２１３の洗浄性を一層向上させることができる。
　【０１６３】
　また、吸引ピストン２１３および取り付け部２１５が左右対称な形状をなしているので、吸引ピストン２１３を吸引シリンダ２１２に取り付ける際に、吸引ピストン２１３を吸引シリンダ２１２に対して最大９０度回転させるだけで取り付けが可能になり、取り付け作業が容易になる。
　【０１６４】
　さらに、吸引シリンダ２１２の内部に吸引ピストン２１３の位置決め用のピンがないので、吸引シリンダ２１２内の突起がなくなり、吸引シリンダ２１２の洗浄性が向上した。また、吸引シリンダ２１２と吸引ピストン２１３の洗浄性が向上したことにより、管路切換え装置２０６全体の洗浄性が向上した。
　【０１６５】
　なお、本発明は上記各実施例に限定されるものではなく、本発明の要旨を逸脱しない範囲で種々変形実施できることは勿論である。
　【０１６６】
　次に、本発明の他の特徴的な技術事項を下記の通り付記する。
　【０１６７】
　　　記
　（付記項１）　複数の弾性部材からなる管路に接続する内視鏡用管路切換え装置において、流体管路切換え用のシリンダの外面に上記管路をその方向を変えて係止したことを特徴とする内視鏡用管路切換え装置。
　【０１６８】
　（付記項１の従来技術）　特開平２−９４５０１号公報のものは屈曲管路に硬性の曲げパイプを用いていたので、パイプの曲げ部分の内面にしわがあった。そのため、内面のしわに汚れがたまりやすく、洗浄しにくく、時間がかかっていた。また、硬性の曲げパイプは操作部への取付作業時に他の内蔵物と干渉したり、レイアウトの自由度を制限し、操作部が大きかった。
　【０１６９】
　（付記項１の目的）　屈曲管路の内面のしわをなくすとともに、操作部への取付作業時に他の内蔵物との干渉を防止し、レイアウトの自由度を増し、操作部を小形化できる内視鏡用管路切換え装置を提供することにある。
　【０１７０】
　（付記項１の効果）　弾性チューブをゆるやかに曲げているので、内面にしわが発生せず、洗浄しやすい。洗浄作業時間の短縮。また、他の内蔵物と接続しても、たわむことからレイアウトの自由度が増し、操作部の小型化が可能。
　【０１７１】
　（付記項２）　軸方向端部に向かって外径が漸減する軸体で、内部に通路を有し、内視鏡の内部管路に連通する外部管路接続手段と、
　上記軸体の軸上の異なる２つの当接位置で、気密水密に着脱自在に軸体に外嵌する内周部を端部に有する軟性の管路部材からなる流体移送手段と、
　上記軸体の上記２つの当接位置の間の当接位置において、気密水密に着脱自在に軸体に外嵌する内周部を端部に有する軟性の管路部材からなる洗浄流体送吸手段と、
を備えたことを特徴とする内視鏡。
　【０１７２】
　（付記項２の従来技術）　特公昭６１−５９７２６号公報の口金は、略円筒形の時と、逆とげ状環状部を有する物があるが、いずれも、吸引、送気、送水チューブの代わりに洗浄チューブを取付けるとその当接位置はほぼ同位置になる。そのため、洗浄チューブの接続部に汚れが残るので、ふき取り作業をする必要があり、面倒だった。
　【０１７３】
　（付記項２の目的）　吸引、送気、送水チューブの代わりに洗浄チューブを取付けた際のふき取り作業の手間をなくすことができる内視鏡を提供することにある。
　【０１７４】
　（付記項２の効果）　洗浄時に口金に残る汚れが送気送水吸引チューブの管路内にも、内視鏡外部にも露出しないので、ふき取り作業が不要で作業性も向上する。
　【０１７５】
　（付記項３）　管路切換え用のシリンダに略円筒形管路分岐部材を予め一体に成形したことを特徴とする内視鏡用管路切換え装置。
　【０１７６】
　（付記項３の従来技術）　実公昭５７−１７６６５０号公報は円筒形部材の側面開口にパイプを水密、気密に接合していた。この場合には、気密、水密を保つために、接合作業が必要で、また接合部にわずかなすきまが発生し、汚れやすく洗いにくいので洗浄に時間がかかる。
　【０１７７】
　（付記項３の目的）　従来の欠点を解決することができる内視鏡用管路切換え装置を提供することにある。
　【０１７８】
　（付記項３の効果）　上記構成により、接合作業は不要となり、また汚れがたまるすきまがなく、洗浄作業は容易になる。
　【０１７９】
　（付記項４）　内外に連通する複数の管路を備えた略円筒形の硬性の外装部材と、
　上記外装部材に略同軸に嵌挿されて軸方向に摺動自在にして上記複数の管路を互いに連通あるいは遮断させる複数の位置を任意に選択可能な略円筒形の硬性の内挿部材と、
　上記内挿部材の先端に水密気密に環装され、上記外装部材の内周面に気密水密に周接する環状の周接部を有し、該周接部の上記内挿部材の軸横断面上に上記内挿部材が位置しないことを特徴とする内視鏡用管路切換え装置。
　【０１８０】
　（付記項４の従来技術）　特公昭６４−４４４８号公報の先端シール部はピストンとシリンダの間に介装されていた。シール部の水密、気密を確保すると肉厚が制限されていて、圧縮率が大きいため、摺動抵抗が大きくなり、ピストンの動作レスポンスが悪かった。
　【０１８１】
　（付記項４の目的）　ピストンの応答性を高めることができる内視鏡用管路切換え装置を提供することにある。
　【０１８２】
　（付記項４の効果）　シール部の水密、気密を確保するための一定のつぶし代を与えた時、弾性体の肉厚が厚いためシール部の圧縮率が小さく、摺動抵抗が小さくなる。これによってピストンの操作力量の低減、操作レスポンスの向上が計れる。また、シール部に潤滑油を使わなくてもよい。シール部の磨耗が減り寿命が長くなる。
　【０１８３】
　（付記項５）　並設して一方の端部を接合された第１の管状部材と第２の管状部材を備え、上記一方の端部の接合部外周を第１の管状部材の半円形に形成された開口と、第２管状部材の半円形に形成された開口を残してすき間なく接合材料によって補填して略円形としたことを特徴とする内視鏡の送気送水管路継手。
　【０１８４】
　（付記項５の従来技術）　特公平４−１６１６７号公報に示される送気送水管路継手は、集合側の端部の外周が楕円形をなし、さらに内部に円形の管路が２つ並んでいた。そのため、端部断面積に占める管路断面積が小さく、外形体積が大きく不利である。また、段差の大きな部分が存在するため洗浄に時間がかかる。また、接続するチューブを楕円形に成形しなくてはならない手間と、水密を確実にする手間がかかる。
　【０１８５】
　（付記項５の目的）　外形体積を小さくでき、洗浄時間を短縮できる内視鏡の送気送水管路継手を提供することにある。
　【０１８６】
　（付記項５の効果）　端部断面に管路が占める率が大きくなり、外形体積が小さくなる。また、段差も小さく、洗いやすいので洗浄時間が短縮される。接続チューブが円形でよいので作業が容易になる。
　【０１８７】
　（付記項６）　内視鏡の管路切換え手段のシリンダの外周面に接続する軸体である略円筒形の管路部材の接続部において、管路部材と前記シリンダとの当接面の外径を拡大し、該当接面を接合材料ですき間なく軸方向に接合したことを特徴とする内視鏡。
　【０１８８】
　（付記項６の従来技術）　実公昭５９−３１２１１号公報のパイプシリンダの接合部はザグリ穴にパイプが嵌入してあった。実公昭５９−３１２１１号公報ではザグリ穴とパイプが当接していないと、すき間が残り、すき間に汚物がたまりやすく洗浄しにくかった。
　【０１８９】
　（付記項６の目的）　この洗浄を容易にすることができる内視鏡を提供することにある。
　【０１９０】
　（付記項６の効果）　接合部にすき間がないので汚れがたまらない。洗浄が容易である。
　【０１９１】
　（付記項７）　内視鏡の比較的軟質な外装部材に、比較的硬質の部材を取り付ける際に用いるプレス成形により成形された互いに平行な２つの平面を有する応力緩衝部材を外縁に平面に対して平行でない鋭い突起を有する平行平面を上記軟質部材の反対側に向けて取付けたことを特徴とする内視鏡。
　【０１９２】
　（付記項７の従来技術）　特開平４−８３４４号公報にシリンダと操作部外装に板状部材を介装する例が示されている。上記板状部材をプレス成形すると板状部材の外周に鋭い突起が生ずる。突起が外装部材を傷つけないよう除去作業が必要で面倒であった。
　【０１９３】
　（付記項７の目的）
　外装部材を傷つけるおそれがなく、板状部材の外周の鋭い突起の除去作業を省略することができる内視鏡を提供することにある。
　【０１９４】
　（付記項７の効果）　除去作業は不要なので、労力、時間を省ける。
　【０１９５】
　（付記項８）　内視鏡の操作部に取り付けられたシリンダに摺動自在に嵌挿され、外面に上方向への変位を規制する当接部を設けたピストンと、
　前記ピストンに環装されて前記ピストンの上方向への動きを規制する当接部材が設けられた取り付け部材と、
　前記ピストンと前記取り付け部材との間に設けられて、前記ピストンを取り付け部材の上方向に付勢する付勢部材と、
を備えた内視鏡用流体管路切換え装置において、
　前記ピストンが前記付勢部材によって前記取り付け部材に対して上方向へ最大限変位したときに前記当接部と前記当接部材が当接するとともに、前記当接部の内側空間と、前記ピストンの当接部よりも前記シリンダ内方の部位の外周空間とを、連通させる連通路を設けたことを特徴とする内視鏡用流体管路切換え装置。
　【０１９６】
　（付記項９）　内視鏡の操作部に設けられて、複数の管路が接続されるシリンダと、
　前記シリンダ内に挿通されて前記シリンダと協働して前記複数の管路の連通状態を切り換え制御するピストンと、
　前記ピストンに環装されて前記シリンダに対して前記ピストンを着脱自在に取り付けるとともに、前記ピストンの前記シリンダからの突出方向位置を規制する当接部を設けた取り付け部材と、
　前記ピストンの外周上の一部に非環状に設けられて前記当接部と当接する突き当て面と、
　前記ピストンを上方に付勢して、前記取り付け部材の前記当接部に、前記ピストンを当接せしめる付勢部材とを設けた内視鏡用流体管路切換え装置において、
　前記ピストンと前記当接部材とは前記突き当て面によってのみ当接するとともに、前記ピストンと前記当接部材との間に形成される空間は連通路によってピストンの外部空間に連通されることを特徴とする内視鏡用流体管路切換え装置。
　【０１９７】
　【発明の効果】
　本発明によればピストンが突出部に当接された状態で、取付け部材とピストンとの間の空間と、突出部とピストンとの当接部の外側空間との間を連通する連通路を突出部
の前記ピストンが当接する部分の一部
【図面の簡単な説明】
　【図１】　本発明の第１の実施例の内視鏡のシステム全体の概略構成図。
　【図２】　送気送水切換え装置の概略構成を示す縦断面図。
　【図３】　図２のＡ−Ａ線断面図。
　【図４】　作用を説明するための要部の縦断面図。
　【図５】　シリンダ本体の内端部の概略構成を示す縦断面図。
　【図６】　シリンダ本体の下部外周面の張出部に送気弾性チューブが接合された状態を示す斜視図。
　【図７】　シリンダ本体の外周面に接合される送液入口パイプの接合部を示す縦断面図。
　【図８】　シリンダ本体を操作部のケーシングに取付ける取付部を示す縦断面図。
　【図９】　グリップの内部構成を示す縦断面図。
　【図１０】　（Ａ）は挿入部の先端部、湾曲部の内部構成を示す縦断面図、（Ｂ）は（Ａ）のＤ−Ｄ線断面図。
　【図１１】　折止めカバー部分の先端側の固定部を示す縦断面図。
　【図１２】　折止めカバー部分の後端側の固定部を示す縦断面図。
　【図１３】　折止めの取付け状態を示す縦断面図。
　【図１４】　折止めの先端の小径部を挿入部に水密気密に固定する手段の変形例を示す縦断面図。
　【図１５】　（Ａ）はコネクタの吸引口金に吸引装置の吸引チューブを嵌合した使用状態を示す縦断面図、（Ｂ）はコネクタの吸引口金に洗浄チューブを接続させた状態を示す縦断面図。
　【図１６】　吸引チューブの変形例を示す縦断面図。
　【図１７】　シリンダ本体の張出部への送気弾性チューブのコイルの係止手段の変形例を示す斜視図。
　【図１８】　本発明の第２の実施例を示す要部の縦断面図。
　【図１９】　本発明の第３の実施例を示す送気送水切換え装置の縦断面図。
　【図２０】　第３の実施例の変形例を示す縦断面図。
　【図２１】　図１９のＢ−Ｂ線断面図。
　【図２２】　本発明の第４の実施例を示す要部の縦断面図。
　【図２３】　本発明の第５の実施例を示す要部の縦断面図。
　【図２４】　図２３の矢印Ｃ方向から見た縦断面図。
　【図２５】　本発明の第６の実施例を示す要部の縦断面図。
　【図２６】　本発明の第７の実施例を示す内視鏡全体の概略構成図。
　【図２７】　吸引管路切換え装置の詳細構造を示す縦断面図。
　【図２８】　（Ａ）は図２７のＡ−Ａ線断面図、（Ｂ）は図２７のＢ−Ｂ線断面図、（Ｃ）は図２７のＣ−Ｃ線断面図。
　【図２９】　（Ａ）は位置決め部材を示す斜視図、（Ｂ）は図２７のＤ−Ｄ線断面図、（Ｃ）は吸引シリンダを上方向から見た状態を示す平面図。
　【図３０】　吸引ピストンと位置決め部材の当接部を示す縦断面図。
　【図３１】　当接部と溝部との間に形成された空間を示す斜視図。
　【図３２】　突き当て面の上側の連通路および空間を示す側面図。
　【図３３】　（Ａ）は従来の吸引管路切換え装置を示す縦断面図、（Ｂ）は吸引ピストンと位置決め部材の当接部を示す縦断面図。
　【符号の説明】
　１…操作部、２４ａ…上側カバー部、２６…コイルばね（付勢部材）、２７…取付け部材、２７ａ…下側カバー部、３４…ピストン、Ｓ…袋小路状の空間、１２７…ピストンストッパ（内方突出部）、１２８…シリンダ、１３３…連通路。